(57)【要約】第１のダウンリンク制御インジケータ（ＤＣＩ）および第２のＤＣＩを決定し、第１のＤＣＩに基づいて、アクティブ非周期的チャネル状態情報基準信号（Ａ−ＣＳＩ−ＲＳ）のセットを決定し、および第２のＤＣＩに基づいて、アクティブＡ−ＣＳＩ−ＲＳのセットのサブセットを決定するためのシステムおよび方法が開示される。ＷＴＲＵは、アクティブＡ−ＣＳＩ−ＲＳのセットに基づいて、リソース要素（ＲＥ）ミューティングを行うことができる。ＷＴＲＵは、アクティブＡ−ＣＳＩ−ＲＳのセットのサブセットに基づいて、チャネル状態情報（ＣＳＩ）測定を行うことができる。
2019530276.tif 000002
【特許請求の範囲】
【請求項１】
無線送受信ユニット（ＷＴＲＵ）によって実行される方法であって、
第１のダウンリンク制御インジケータ（ＤＣＩ）および第２のＤＣＩを決定するステップと、
前記第１のＤＣＩに基づいて、アクティブ非周期的チャネル状態情報基準信号（Ａ−ＣＳＩ−ＲＳ）のセットを決定するステップと、
前記第２のＤＣＩに基づいて、アクティブＡ−ＣＳＩ−ＲＳの前記セットのサブセットを決定するステップと、
アクティブＡ−ＣＳＩ−ＲＳの前記セットに基づいて、リソース要素（ＲＥ）ミューティングを行うステップと、
アクティブＡ−ＣＳＩ−ＲＳの前記セットの前記サブセットに基づいて、チャネル状態情報（ＣＳＩ）測定を行うステップと
を含む方法。
【請求項２】
前記ＲＥミューティングは、物理ダウンリンク共有チャネル（ＰＤＳＣＨ）送信を受信するための、アクティブＡ−ＣＳＩ−ＲＳの前記セットのＲＥの周りのパンクチャリングまたはレートマッチングのうちの１つとすることができる請求項１に記載の方法。
【請求項３】
アクティブＡ−ＣＳＩ−ＲＳの前記セットの前記サブセットに基づいて、少なくとも１つのＡ−ＣＳＩ−ＲＳパターンを決定するステップであって、前記少なくとも１つのＡ−ＣＳＩ−ＲＳパターンは前記ＷＴＲＵに関連付けられる、ステップをさらに含む請求項１に記載の方法。
【請求項４】
アクティブＡ−ＣＳＩ−ＲＳの前記セットの前記サブセットに基づいて前記ＣＳＩ測定を行うステップは、前記少なくとも１つのＡ−ＣＳＩ−ＲＳパターンに基づいて前記ＣＳＩ測定を行うステップを含む請求項３に記載の方法。
【請求項５】
アクティブＡ−ＣＳＩ−ＲＳの前記セットに基づいて前記ＲＥミューティングを行うステップは、少なくとも１つのダウンリンク送信のミューティングを行うステップを含む請求項１に記載の方法。
【請求項６】
物理ダウンリンク制御チャネル（ＰＤＣＣＨ）共通探索空間（ＣＳＳ）を監視するステップであって、前記第１のＤＣＩは前記ＰＤＣＣＨ  ＣＳＳを通じて受信される、ステップをさらに含む請求項１に記載の方法。
【請求項７】
拡張物理ダウンリンク制御チャネル（ＥＰＤＣＣＨ）共通探索空間（ＣＳＳ）を監視するステップであって、前記第１のＤＣＩは前記ＥＰＤＣＣＨ  ＣＳＳを通じて受信される、ステップをさらに含む請求項１に記載の方法。
【請求項８】
ＷＴＲＵ固有探索空間を監視するステップをさらに含み、前記第２のＤＣＩを決定するステップは、前記ＷＴＲＵ固有探索空間に基づいて前記第２のＤＣＩを決定するステップを含む請求項１に記載の方法。
【請求項９】
前記第２のＤＣＩに基づいてフラグビットを決定するステップをさらに含み、前記フラグビットは前記第２のＤＣＩがアクティブＡ−ＣＳＩ−ＲＳの前記セットの前記サブセットを備えるかどうかを示す請求項１に記載の方法。
【請求項１０】
前記ＲＥミューティングを行うステップは、時間または周波数位置のうちの少なくとも１つに基づいて前記ＲＥミューティングを行うステップをさらに含む請求項１に記載の方法。
【請求項１１】
無線送受信ユニット（ＷＴＲＵ）であって、
第１のダウンリンク制御インジケータ（ＤＣＩ）および第２のＤＣＩを検出するように構成されたトランシーバと、
プロセッサであって、
前記第１のＤＣＩに基づいて、アクティブ非周期的チャネル状態情報基準信号（Ａ−ＣＳＩ−ＲＳ）のセットを決定することと、
前記第２のＤＣＩに基づいて、アクティブＡ−ＣＳＩ−ＲＳの前記セットのサブセットを決定することと、
アクティブＡ−ＣＳＩ−ＲＳの前記セットに基づいて、リソース要素（ＲＥ）ミューティングを行うことと、
アクティブＡ−ＣＳＩ−ＲＳの前記セットの前記サブセットに基づいて、チャネル状態情報（ＣＳＩ）測定を行うことと
を行うように構成されたプロセッサと
を備える無線送受信ユニット（ＷＴＲＵ）。
【請求項１２】
前記ＲＥミューティングは、物理ダウンリンク共有チャネル（ＰＤＳＣＨ）送信を受信するための、アクティブＡ−ＣＳＩ−ＲＳの前記セットのＲＥの周りのパンクチャリングまたはレートマッチングのうちの１つとすることができる請求項１１に記載のＷＴＲＵ。
【請求項１３】
前記プロセッサは、アクティブＡ−ＣＳＩ−ＲＳの前記セットの前記サブセットに基づいて、少なくとも１つのＡ−ＣＳＩ−ＲＳパターンを決定するようにさらに構成され、前記少なくとも１つのＡ−ＣＳＩ−ＲＳパターンは前記ＷＴＲＵに関連付けられる請求項１１に記載のＷＴＲＵ。
【請求項１４】
アクティブＡ−ＣＳＩ−ＲＳの前記セットの前記サブセットに基づいて前記ＣＳＩ測定を行うように構成された前記プロセッサは、前記少なくとも１つのＡ−ＣＳＩ−ＲＳパターンに基づいて前記ＣＳＩ測定を行うように構成された前記プロセッサを備える請求項１３に記載のＷＴＲＵ。
【請求項１５】
アクティブＡ−ＣＳＩ−ＲＳの前記セットに基づいて前記ＲＥミューティングを行うように構成された前記プロセッサは、少なくとも１つのダウンリンク送信のミューティングを行うように構成された前記プロセッサを備える請求項１１に記載のＷＴＲＵ。
【請求項１６】
前記トランシーバは、物理ダウンリンク制御チャネル（ＰＤＣＣＨ）共通探索空間（ＣＳＳ）を監視するようにさらに構成され、前記プロセッサは、前記ＰＤＣＣＨ  ＣＳＳに基づいて前記第１のＤＣＩを決定するように構成される請求項１１に記載のＷＴＲＵ。
【請求項１７】
前記トランシーバは、拡張物理ダウンリンク制御チャネル（ＥＰＤＣＣＨ）共通探索空間（ＣＳＳ）を監視するようにさらに構成され、前記プロセッサは、前記ＥＰＤＣＣＨ  ＣＳＳに基づいて前記第１のＤＣＩを決定するように構成される請求項１に記載のＷＴＲＵ。
【請求項１８】
前記トランシーバはＷＴＲＵ固有探索空間を監視するようにさらに構成され、前記プロセッサは前記ＷＴＲＵ固有探索空間に基づいて前記第２のＤＣＩを決定するように構成される請求項１１に記載のＷＴＲＵ。
【請求項１９】
前記プロセッサは前記第２のＤＣＩに基づいてフラグビットを決定するようにさらに構成され、前記フラグビットは前記第２のＤＣＩがアクティブＡ−ＣＳＩ−ＲＳの前記セットの前記サブセットを備えるかどうかを示す請求項１１に記載のＷＴＲＵ。
【請求項２０】
前記ＲＥミューティングを行うように構成された前記プロセッサは、時間または周波数位置のうちの少なくとも１つに基づいて前記ＲＥミューティングを行うように構成された前記プロセッサを備える請求項１に記載の方法。
【発明の詳細な説明】
【技術分野】
【０００１】
本発明は、複数アンテナシステムにおける非周期的測定基準信号送信のためのシステムおよび方法に関する。
【背景技術】
【０００２】
関連出願の相互参照
本出願は、参照によりその全体が本明細書に組み込まれている２０１６年８月１０日に出願した「ＳＹＳＴＥＭＳ  ＡＮＤ  ＭＥＴＨＯＤＳ  ＦＯＲ  ＡＰＥＲＩＯＤＩＣ  ＭＥＡＳＵＲＥＭＥＮＴ  ＲＥＦＥＲＥＮＣＥ  ＳＩＧＮＡＬ  ＴＲＡＮＳＭＩＳＳＩＯＮ  ＩＮ  ＭＵＬＴＩＰＬＥ  ＡＮＴＥＮＮＡ  ＳＹＳＴＥＭＳ」という名称の米国特許仮出願第６２／３７３，２４８号の優先権を主張するものである。
【０００３】
チャネル状態情報基準信号（ＣＳＩ−ＲＳ）は、ロングタームエボリューション（ＬＴＥ）無線通信システムにおいて、測定目的のために用いられ得る。ＣＳＩ−ＲＳの１つまたは複数のパターンは、このようなパターンを生成するデバイスによって使用され得るアンテナポートの数の関数となり得る。このようなパターンは、送信サブフレームにおいてもたらされ得る。
【発明の概要】
【０００４】
「発明の概要」は、「発明を実施するための形態」において以下でさらに述べられる、概念の選択されたものを簡略化された形で導入するためにもたらされる。この「発明の概要」は、特許請求される主題の主要な特徴および／または本質的な特徴を特定するためのものではなく、特許請求される主題の範囲を制限するために用いられるためのものでもない。
【０００５】
第１のダウンリンク制御インジケータ（ＤＣＩ）および第２のＤＣＩを決定し、第１のＤＣＩに基づいて、アクティブ非周期的チャネル状態情報基準信号（Ａ−ＣＳＩ−ＲＳ）のセットを決定し、および第２のＤＣＩに基づいて、アクティブＡ−ＣＳＩ−ＲＳのセットのサブセットを決定するためのシステムおよび方法が開示される。リソース要素（ＲＥ）ミューティングは、アクティブＡ−ＣＳＩ−ＲＳのセットに基づいて行われ得る。チャネル状態情報（ＣＳＩ）測定は、アクティブＡ−ＣＳＩ−ＲＳのセットのサブセットに基づいて行われ得る。本明細書で開示されるＲＥミューティングは、物理ダウンリンク共有チャネル（ＰＤＳＣＨ）送信を受信するための、アクティブＡ−ＣＳＩ−ＲＳのセットのＲＥの周りのパンクチャリングまたはレートマッチングとすることができる。アクティブＡ−ＣＳＩ−ＲＳのセットのサブセットに基づいて、少なくとも１つのＡ−ＣＳＩ−ＲＳパターンを決定するためのシステムおよび方法がさらに開示され、このような少なくとも１つのＡ−ＣＳＩ−ＲＳパターンはＷＴＲＵに関連付けられ得る。
【０００６】
少なくとも１つのＡ−ＣＳＩ−ＲＳパターンに基づいてＣＳＩ測定を行うことによって、アクティブＡ−ＣＳＩ−ＲＳのセットのサブセットに基づいてＣＳＩ測定を行うためのシステムおよび方法が開示される。アクティブＡ−ＣＳＩ−ＲＳのセットに基づいてＲＥミューティングを行うことは、少なくとも１つのダウンリンク送信のミューティングを行うことを含むことができる。物理ダウンリンク制御チャネル（ＰＤＣＣＨ）共通探索空間（ＣＳＳ）は、このようなＰＤＣＣＨ  ＣＳＳを通じて受信され得るＤＣＩの検出のために監視され得る。拡張物理ダウンリンク制御チャネル（ＥＰＤＣＣＨ）共通探索空間（ＣＳＳ）は、このようなＥＰＤＣＣＨ  ＣＳＳを通じて受信され得るＤＣＩの検出のために監視され得る。
【０００７】
ＷＴＲＵ固有探索空間を監視することを行うためのシステムおよび方法が開示され、ＤＣＩを決定することは、ＷＴＲＵ固有探索空間に基づくことを含む。ＤＣＩに基づいてフラグビットを決定することが行われることができ、このようなフラグビットは、ＤＣＩがアクティブＡ−ＣＳＩ−ＲＳのセットのサブセットを含むかどうかを示すことができる。ＲＥミューティングは、時間または周波数位置のうちの少なくとも１つに基づいて行われ得る。
【図面の簡単な説明】
【０００８】
以下の例示の例の詳しい説明は、添付の図面を参照してもたらされる。説明のために、図面は例示の例を示す。企図される主題は、説明されるまたは示される特定の要素および／または手段に限定されない。別の特定の表記がない場合、主題は必要および／または本質的であると企図されない。さらに述べられる例は、全体においてまたは部分的に、任意の組み合わせにおいて使用され得る。
【０００９】
【図１Ａ】１つまたは複数の開示される例が実施され得る、例示の通信システムのシステム図である。
【図１Ｂ】例による図１Ａに示された通信システム内で用いられ得る、例示の無線送受信ユニット（ＷＴＲＵ）のシステム図である。
【図１Ｃ】例による図１Ａに示された通信システム内で用いられ得る、例示の無線アクセスネットワーク（ＲＡＮ）および例示のコアネットワーク（ＣＮ）を示すシステム図である。
【図１Ｄ】例による図１Ａに示された通信システム内で用いられ得る、他の例示のＲＡＮおよび他の例示のＣＮを示すシステム図である。
【図２】例による例示的基準信号を示す図である。
【図３】例による例示的拡張リソース要素グループ（ＥＲＥＧ）を示す図である。
【図４】例による例示的リソース要素（ＲＥ）を示す図である。
【図５】例による例示的基準信号（ＲＳ）構成を示す図である。
【発明を実施するための形態】
【００１０】
次に種々の図を参照して、例示の例の詳しい説明が述べられる。この説明は可能な実装形態の詳細な例をもたらすが、詳細は例とするものであり、本出願の範囲を限定するものでは全くないことが留意されるべきである。本明細書で用いられる冠詞「ａ」および「ａｎ」は、さらなる但し書きまたは記述がない限り、例えば「１つまたは複数」または「少なくとも１つ」を意味するものと理解され得る。また本明細書で用いられる「ユーザ機器」（ＵＥ）という語句は、「無線送受信ユニット」（ＷＴＲＵ）という語句と同じものを表すことが理解され得る。
【００１１】
図１Ａは、１つまたは複数の開示される例が実施され得る、例示の通信システム１００を示す図である。通信システム１００は、複数の無線ユーザに音声、データ、ビデオ、メッセージング、ブロードキャストなどのコンテンツをもたらす多元接続方式とすることができる。通信システム１００は、複数の無線ユーザが、無線帯域幅を含む、システムリソースの共有を通してこのようなコンテンツにアクセスすることを可能にすることができる。例えば通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタ型ＯＦＤＭ、フィルタバンクマルチキャリア（ＦＢＭＣ）などの１つまたは複数のチャネルアクセス方法を使用することができる。
【００１２】
図１Ａに示されるように通信システム１００は、無線送受信ユニット（ＷＴＲＵ）１０２ａ、１０２ｂ、１０２ｃ、１０２ｄ、ＲＡＮ１０４／１１３、ＣＮ１０６／１１５、公衆交換電話ネットワーク（ＰＳＴＮ）１０８、インターネット１１０、および他のネットワーク１１２を含むことができるが、開示される例は任意の数のＷＴＲＵ、基地局、ネットワーク、および／またはネットワーク要素を企図することが理解されるであろう。ＷＴＲＵ１０２ａ、１０２ｂ、１０２ｃ、１０２ｄのそれぞれは、無線環境において動作および／または通信するように構成された任意のタイプのデバイスとすることができる。例として、そのいずれも「ステーション」および／または「ＳＴＡ」と呼ばれ得るＷＴＲＵ１０２ａ、１０２ｂ、１０２ｃ、１０２ｄは、無線信号を送信および／または受信するように構成されることができ、ユーザ機器（ＵＥ）、移動局、固定または移動体加入者ユニット、サブスクリプションベースのユニット、ページャ、携帯電話、携帯情報端末（ＰＤＡ）、スマートフォン、ラップトップ、ネットブック、パーソナルコンピュータ、無線センサ、ホットスポットまたはＭｉ−Ｆｉデバイス、モノのインターネット（ＩｏＴ）デバイス、ウォッチまたは他のウェアラブル、ヘッドマウントディスプレイ（ＨＭＤ）、乗り物、ドローン、医療機器およびアプリケーション（例えば遠隔手術）、産業用機器およびアプリケーション（例えば産業および／または自動化処理チェーンの関連において動作するロボットおよび／または他の無線デバイス）、民生用エレクトロニクスデバイス、商用および／または産業用無線ネットワーク上で動作するデバイスなどを含み得る。ＷＴＲＵ１０２ａ、１０２ｂ、１０２ｃ、および１０２ｄのいずれも、同義的にＵＥと呼ばれ得る。
【００１３】
通信システム１００はまた、基地局１１４ａおよび／または基地局１１４ｂを含み得る。基地局１１４ａ、１１４ｂのそれぞれは、ＣＮ１０６／１１５、インターネット１１０、および／または他のネットワーク１１２などの１つまたは複数の通信ネットワークへのアクセスを容易にするために、ＷＴＲＵ１０２ａ、１０２ｂ、１０２ｃ、１０２ｄの少なくとも１つと無線でインターフェイス接続するように構成された任意のタイプのデバイスとすることができる。例として基地局１１４ａ、１１４ｂは、基地トランシーバ局（ＢＴＳ）、ノードＢ、ｅノードＢ、ホームノードＢ、ホームｅノードＢ、ｇＮＢ、ＮＲノードＢ、サイトコントローラ、アクセスポイント（ＡＰ）、無線ルータなどとすることができる。基地局１１４ａ、１１４ｂはそれぞれ単一の要素として描かれるが、基地局１１４ａ、１１４ｂは、任意の数の相互接続された基地局および／またはネットワーク要素を含み得ることが理解されるであろう。
【００１４】
基地局１１４ａは、基地局コントローラ（ＢＳＣ）、無線ネットワークコントローラ（ＲＮＣ）、中継ノードなどの、他の基地局および／またはネットワーク要素（図示せず）も含むことができるＲＡＮ１０４／１１３の一部とすることができる。基地局１１４ａおよび／または基地局１１４ｂは、セル（図示せず）と呼ばれ得る１つまたは複数のキャリア周波数上で無線信号を送信および／または受信するように構成され得る。これらの周波数は認可されたスペクトル、無認可のスペクトル、または認可されたおよび無認可のスペクトルの組み合わせにおけるものすることができる。セルは、比較的固定的な、または時間と共に変化し得る、特定の地理的エリアに対する無線サービスのためのカバレージをもたらし得る。セルは、セルセクタにさらに分割され得る。例えば基地局１１４ａに関連付けられたセルは、３つのセクタに分割され得る。従って一例において基地局１１４ａは、３つのトランシーバ、すなわちセルの各セクタに対して１つずつを含むことができる。例において基地局１１４ａは、多入力多出力（ＭＩＭＯ）技術を使用することができ、セルの各セクタに対して複数のトランシーバを利用することができる。例えば所望の空間方向において信号を送信および／または受信するために、ビームフォーミングが用いられ得る。
【００１５】
基地局１１４ａ、１１４ｂは、任意の適切な無線通信リンク（例えば無線周波数（ＲＦ）、マイクロ波、センチメートル波、マイクロメートル波、赤外線（ＩＲ）、紫外線（ＵＶ）、可視光など）とすることができるエアインターフェイス１１６を通して、ＷＴＲＵ１０２ａ、１０２ｂ、１０２ｃ、１０２ｄの１つまたは複数と通信することができる。エアインターフェイス１１６は、任意の適切な無線アクセス技術（ＲＡＴ）を用いて確立され得る。
【００１６】
より具体的には、上記のように通信システム１００は多元接続方式とすることができ、ＣＤＭＡ、ＴＤＭＡ、ＦＤＭＡ、ＯＦＤＭＡ、ＳＣ−ＦＤＭＡなどの１つまたは複数のチャネルアクセス方式を使用することができる。例えばＲＡＮ１０４／１１３内の基地局１１４ａ、およびＷＴＲＵ１０２ａ、１０２ｂ、１０２ｃは、ユニバーサル移動体（電話）通信システム（ＵＭＴＳ）地上無線アクセス（ＵＴＲＡ）などの無線技術を実施することができ、これは広帯域ＣＤＭＡ（ＷＣＤＭＡ）を用いてエアインターフェイス１１５／１１６／１１７を確立することができる。ＷＣＤＭＡは、高速パケットアクセス（ＨＳＰＡ）および／またはＥｖｏｌｖｅｄ  ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速ＵＬパケットアクセス（ＨＳＵＰＡ）を含み得る。
【００１７】
例において基地局１１４ａおよびＷＴＲＵ１０２ａ、１０２ｂ、１０２ｃは、Ｅｖｏｌｖｅｄ  ＵＭＴＳ地上無線アクセス（Ｅ−ＵＴＲＡ）などの無線技術を実施することができ、これはロングタームエボリューション（ＬＴＥ）および／またはＬＴＥ−Ａｄｖａｎｃｅｄ（ＬＴＥ−Ａ）および／またはＬＴＥ−Ａｄｖａｎｃｅｄ  Ｐｒｏ（ＬＴＥ−Ａ  Ｐｒｏ）を用いてエアインターフェイス１１６を確立することができる。
【００１８】
例において基地局１１４ａおよびＷＴＲＵ１０２ａ、１０２ｂ、１０２ｃは、ＮＲ無線アクセスなどの無線技術を実施することができ、これはＮｅｗ  Ｒａｄｉｏ（ＮＲ）を用いてエアインターフェイス１１６を確立することができる。
【００１９】
例において基地局１１４ａおよびＷＴＲＵ１０２ａ、１０２ｂ、１０２ｃは、複数の無線アクセス技術を実施することができる。例えば基地局１１４ａおよびＷＴＲＵ１０２ａ、１０２ｂ、１０２ｃは、例えばデュアルコネクティビティ（ＤＣ）原理を用いて、ＬＴＥ無線アクセスおよびＮＲ無線アクセスを一緒に実施することができる。従ってＷＴＲＵ１０２ａ、１０２ｂ、１０２ｃによって利用されるエアインターフェイスは、複数のタイプの無線アクセス技術、および／または複数のタイプの基地局にまたはそれらから、送られる送信を特徴とし得る（例えばｅＮＢおよびｇＮＢ）。
【００２０】
他の例において基地局１１４ａおよびＷＴＲＵ１０２ａ、１０２ｂ、１０２ｃは、ＩＥＥＥ  ８０２．１１（例えばワイヤレスフィデリティ（ＷｉＦｉ））、ＩＥＥＥ  ８０２．１６（例えばマイクロ波アクセス用世界規模相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭ進化型高速データレート（ＥＤＧＥ）、ＧＳＭ  ＥＤＧＥ（ＧＥＲＡＮ）などの無線技術を実施することができる。
【００２１】
図１Ａの基地局１１４ｂは、例えば無線ルータ、ホームノードＢ、ホームｅノードＢ、またはアクセスポイントとすることができ、事業所、自宅、乗り物、キャンパス、産業施設、空中回廊（例えばドローンによる使用のための）、車道などの局在したエリア内の無線接続性を容易にするための任意の適切なＲＡＴを利用することができる。一例において基地局１１４ｂおよびＷＴＲＵ１０２ｃ、１０２ｄは、ＩＥＥＥ  ８０２．１１などの無線技術を実施して、無線ローカルエリアネットワーク（ＷＬＡＮ）を確立することができる。他の例において基地局１１４ｂおよびＷＴＲＵ１０２ｃ、１０２ｄは、ＩＥＥＥ  ８０２．１５などの無線技術を実施して、無線パーソナルエリアネットワーク（ＷＰＡＮ）を確立することができる。他の例において基地局１１４ｂおよびＷＴＲＵ１０２ｃ、１０２ｄは、セルラベースのＲＡＴ（例えばＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセルまたはフェムトセルを確立することができる。図１Ａに示されるように基地局１１４ｂは、インターネット１１０への直接接続を有することができる。従って基地局１１４ｂは、ＣＮ１０６／１１５を通じてインターネット１１０にアクセスすることを不要とすることができる。
【００２２】
ＲＡＮ１０４／１１３はＣＮ１０６／１１５と通信することができ、これは音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数にもたらすように構成された、任意のタイプのネットワークとすることができる。データは、異なるスループット要件、待ち時間要件、エラー耐性要件、信頼性要件、データスループット要件、モビリティ要件などの様々なサービス品質（ＱｏＳ）要件を有し得る。ＣＮ１０６／１１５は、呼制御、料金請求サービス、移動体位置ベースのサービス、プリペイドコール、インターネット接続性、ビデオ配信などをもたらすことができ、および／またはユーザ認証などの高レベルセキュリティ機能を行うことができる。図１Ａに示されないが、ＲＡＮ１０４／１１３および／またはＣＮ１０６／１１５は、ＲＡＮ１０４／１１３と同じＲＡＴまたは異なるＲＡＴを使用する他のＲＡＮと、直接または間接に通信し得ることが理解されるであろう。例えば、ＮＲ無線技術を利用し得るＲＡＮ１０４／１１３に接続されることに加えて、ＣＮ１０６／１１５はまた、ＧＳＭ、ＵＭＴＳ、ＣＤＭＡ２０００、ＷｉＭＡＸ、Ｅ−ＵＴＲＡ、またはＷｉＦｉ無線技術を使用する他のＲＡＮ（図示せず）と通信することができる。
【００２３】
ＣＮ１０６／１１５はまた、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとして働くことができる。ＰＳＴＮ１０８は、従来型電話サービス（ｐｌａｉｎ  ｏｌｄ  ｔｅｌｅｐｈｏｎｅ  ｓｅｒｖｉｃｅ、ＰＯＴＳ）をもたらす回線交換電話ネットワークを含むことができる。インターネット１１０は、ＴＣＰ／ＩＰインターネットプロトコル群における伝送制御プロトコル（ＴＣＰ）、ユーザデータグラムプロトコル（ＵＤＰ）、および／またはインターネットプロトコル（ＩＰ）などの共通通信プロトコルを用いる、相互接続されたコンピュータネットワークおよびデバイスの地球規模のシステムを含むことができる。ネットワーク１１２は、他のサービスプロバイダによって所有および／または運用される有線および／または無線通信ネットワークを含むことができる。例えばネットワーク１１２は、ＲＡＮ１０４／１１３と同じＲＡＴまたは異なるＲＡＴを使用し得る１つまたは複数のＲＡＮに接続された、他のＣＮを含むことができる。
【００２４】
通信システム１００内のＷＴＲＵ１０２ａ、１０２ｂ、１０２ｃ、１０２ｄのいくつかまたはすべては、マルチモード能力を含むことができる（例えばＷＴＲＵ１０２ａ、１０２ｂ、１０２ｃ、１０２ｄは、異なる無線リンクを通して異なる無線ネットワークと通信するための、複数のトランシーバを含むことができる）。例えば図１Ａに示されるＷＴＲＵ１０２ｃは、セルラベースの無線技術を使用することができる基地局１１４ａと、およびＩＥＥＥ  ８０２無線技術を使用することができる基地局１１４ｂと通信するように構成され得る。
【００２５】
図１Ｂは、例示のＷＴＲＵ１０２を示すシステム図である。図１Ｂに示されるようにＷＴＲＵ１０２は中でも、プロセッサ１１８、トランシーバ１２０、送受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および／または他の周辺装置１３８を含むことができる。ＷＴＲＵ１０２は、例と一貫性を保ちながら、前述の要素の任意のサブコンビネーションを含み得ることが理解されるであろう。
【００２６】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連した１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入力／出力処理、および／またはＷＴＲＵ１０２が無線環境において動作することを可能にする任意の他の機能を行うことができる。プロセッサ１１８はトランシーバ１２０に結合されることができ、これは送受信要素１２２に結合され得る。図１Ｂはプロセッサ１１８およびトランシーバ１２０を別個の構成要素として示すが、プロセッサ１１８およびトランシーバ１２０は、電子回路パッケージまたはチップ内に一緒に一体化され得ることが理解されるであろう。
【００２７】
送受信要素１２２は、エアインターフェイス１１６を通して基地局（例えば基地局１１４ａ）に信号を送信し、またはそれから信号を受信するように構成され得る。例えば例において送受信要素１２２は、ＲＦ信号を送信および／または受信するように構成されたアンテナとすることができる。例において送受信要素１２２は、例えばＩＲ、ＵＶ、または可視光信号を送信および／または受信するように構成された放射器／検出器とすることができる。他の例において送受信要素１２２は、ＲＦおよび光信号の両方を送信および／または受信するように構成され得る。送受信要素１２２は、無線信号の任意の組み合わせを送信および／または受信するように構成され得ることが理解されるであろう。
【００２８】
図１Ｂでは送受信要素１２２は単一の要素として描かれるが、ＷＴＲＵ１０２は任意の数の送受信要素１２２を含むことができる。より具体的にはＷＴＲＵ１０２は、ＭＩＭＯ技術を使用することができる。従って一例においてＷＴＲＵ１０２は、エアインターフェイス１１６を通して無線信号を送信および受信するための、２つ以上の送受信要素１２２（例えば複数のアンテナ）を含むことができる。
【００２９】
トランシーバ１２０は、送受信要素１２２によって送信されることになる信号を変調するように、および送受信要素１２２によって受信される信号を復調するように構成され得る。上記のようにＷＴＲＵ１０２はマルチモード能力を有することができる。従ってトランシーバ１２０は、ＷＴＲＵ１０２が例えばＮＲおよびＩＥＥＥ  ８０２．１１などの複数のＲＡＴを通じて通信することを可能にするための、複数のトランシーバを含むことができる。
【００３０】
ＷＴＲＵ１０２のプロセッサ１１８は、スピーカ／マイクロフォン１２４、キーパッド１２６、および／またはディスプレイ／タッチパッド１２８（例えば液晶表示（ＬＣＤ）ディスプレイユニット、または有機発光ダイオード（ＯＬＥＤ）ディスプレイユニット）に結合されることができ、それらからユーザ入力データを受信することができる。プロセッサ１１８はまたユーザデータを、スピーカ／マイクロフォン１２４、キーパッド１２６、および／またはディスプレイ／タッチパッド１２８に出力することができる。加えてプロセッサ１１８は、非リムーバブルメモリ１３０および／またはリムーバブルメモリ１３２などの任意のタイプの適切なメモリからの情報にアクセスし、それにデータを記憶することができる。非リムーバブルメモリ１３０は、ランダムアクセスメモリ（ＲＡＭ）、読み出し専用メモリ（ＲＯＭ）、ハードディスク、または任意の他のタイプのメモリ記憶デバイスを含むことができる。リムーバブルメモリ１３２は、加入者識別モジュール（ＳＩＭ）カード、メモリスティック、セキュアデジタル（ＳＤ）メモリカードなどを含むことができる。他の例においてプロセッサ１１８は、サーバまたはホームコンピュータ（図示せず）上など、ＷＴＲＵ１０２上に物理的に位置しないメモリからの情報にアクセスし、それにデータを記憶することができる。
【００３１】
プロセッサ１１８は、電源１３４から電力を受け取ることができ、ＷＴＲＵ１０２内の他の構成要素への電力を分配および／または制御するように構成され得る。電源１３４は、ＷＴＲＵ１０２に電力供給するための任意の適切なデバイスとすることができる。例えば電源１３４は、１つまたは複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉイオン）など）、太陽電池、燃料電池などを含むことができる。
【００３２】
プロセッサ１１８はまたＧＰＳチップセット１３６に結合されることができ、これはＷＴＲＵ１０２の現在位置に関する位置情報（例えば経度および緯度）をもたらすように構成され得る。ＧＰＳチップセット１３６からの情報に加えてまたはその代わりに、ＷＴＲＵ１０２はエアインターフェイス１１６を通して、基地局（例えば基地局１１４ａ、１１４ｂ）から位置情報を受信することができ、および／または２つ以上の近くの基地局から受信される信号のタイミングに基づいてその位置を決定することができる。ＷＴＲＵ１０２は、例と一貫性を保ちながら、任意の適切な位置決定方法によって位置情報を取得できることが理解されるであろう。
【００３３】
プロセッサ１１８は他の周辺装置１３８にさらに結合されることができ、これはさらなる特徴、機能、および／または有線もしくは無線接続性をもたらす１つまたは複数のソフトウェアおよび／またはハードウェアモジュールを含むことができる。例えば周辺装置１３８は加速度計、電子コンパス、衛星トランシーバ、デジタルカメラ（写真および／またはビデオ用）、ユニバーサルシリアルバス（ＵＳＢ）ポート、振動デバイス、テレビ送受信機、ハンズフリーヘッドセット、ブルートゥース（登録商標）モジュール、周波数変調（ＦＭ）ラジオユニット、デジタル音楽プレーヤ、メディアプレーヤ、ビデオゲームプレーヤモジュール、インターネットブラウザ、仮想現実および／または拡張現実（ＶＲ／ＡＲ）デバイス、アクティビティトラッカなどを含むことができる。周辺装置１３８は１つまたは複数のセンサを含むことができ、センサはジャイロスコープ、加速度計、ホール効果センサ、磁力計、方位センサ、近接センサ、温度センサ、時間センサ；ジオロケーションセンサ、高度計、光センサ、タッチセンサ、磁力計、気圧計、ジェスチャセンサ、生体センサ、および／または湿度センサの１つまたは複数とすることができる。
【００３４】
ＷＴＲＵ１０２は、信号（例えばＵＬ（例えば送信用）およびダウンリンク（例えば受信用）の両方のための特定のサブフレームに関連付けられた）のいくつかまたはすべての、送信および受信がコンカレントおよび／または同時となり得る、全二重無線を含むことができる。全二重無線は、ハードウェア（例えばチョーク）またはプロセッサを通じた信号処理（例えば別個のプロセッサ（図示せず）、またはプロセッサ１１８を通じて）を通じて、自己干渉を低減するおよび／または実質的に取り除くための干渉管理ユニット１３９を含むことができる。例においてＷＴＲＵ１０２は、信号のいくつかまたはすべての送信および受信（例えばＵＬ（例えば送信用）またはダウンリンク（例えば受信用）のための特定のサブフレームに関連付けられた））のために半二重無線を含み得る。
【００３５】
図１Ｃは、例によるＲＡＮ１０４およびＣＮ１０６を示すシステム図である。上記のようにＲＡＮ１０４は、Ｅ−ＵＴＲＡ無線技術を使用して、エアインターフェイス１１６を通してＷＴＲＵ１０２ａ、１０２ｂ、１０２ｃと通信することができる。ＲＡＮ１０４はまた、ＣＮ１０６と通信することができる。
【００３６】
ＲＡＮ１０４はｅノードＢ１６０ａ、１６０ｂ、１６０ｃを含むことができるが、ＲＡＮ１０４は、例と一貫性を保ちながら、任意の数のｅノードＢを含み得ることが理解されるであろう。ｅノードＢ１６０ａ、１６０ｂ、１６０ｃはそれぞれ、エアインターフェイス１１６を通してＷＴＲＵ１０２ａ、１０２ｂ、１０２ｃと通信するための１つまたは複数のトランシーバを含むことができる。一例においてｅノードＢ１６０ａ、１６０ｂ、１６０ｃは、ＭＩＭＯ技術を実施することができる。従って例えばｅノードＢ１６０ａは、複数のアンテナを用いてＷＴＲＵ１０２ａに無線信号を送信し、および／またはそれから無線信号を受信することができる。
【００３７】
ｅノードＢ１６０ａ、１６０ｂ、１６０ｃのそれぞれは、特定のセル（図示せず）に関連付けられることができ、無線リソース管理決定、ハンドオーバ決定、ＵＬおよび／またはＤＬにおけるユーザのスケジューリングなどに対処するように構成され得る。図１Ｃに示されるようにｅノードＢ１６０ａ、１６０ｂ、１６０ｃは、Ｘ２インターフェイスを通して互いに通信することができる。
【００３８】
図１Ｃに示されるＣＮ１０６は、モビリティ管理エンティティ（ＭＭＥ）１６２、サービングゲートウェイ（ＳＧＷ）１６４、およびパケットデータネットワーク（ＰＤＮ）ゲートウェイ（またはＰＧＷ）１６６を含むことができる。前述の要素のそれぞれはＣＮ１０６の一部として描かれるが、これらの要素のいずれも、ＣＮオペレータ以外のエンティティによって所有および／または運用され得ることが理解されるであろう。
【００３９】
ＭＭＥ１６２は、Ｓ１インターフェイスを通じてＲＡＮ１０４内のｅノードＢ１６２ａ、１６２ｂ、１６２ｃのそれぞれに接続されることができ、制御ノードとして働くことができる。例えばＭＭＥ１６２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期アタッチ時に特定のサービングゲートウェイを選択することなどに対して責任をもつことができる。ＭＭＥ１６２は、ＲＡＮ１０４と、ＧＳＭおよび／またはＷＣＤＭＡなどの他の無線技術を使用する他のＲＡＮ（図示せず）との間で切り換えるための、制御プレーン機能をもたらすことができる。
【００４０】
ＳＧＷ１６４は、Ｓ１インターフェイスを通じてＲＡＮ１０４内のｅノードＢ１６０ａ、１６０ｂ、１６０ｃのそれぞれに接続され得る。ＳＧＷ１６４は一般に、ＷＴＲＵ１０２ａ、１０２ｂ、１０２ｃへのまたはそれらからのユーザデータパケットを経路指定、および転送することができる。ＳＧＷ１６４は、ｅノードＢ間ハンドオーバ時にユーザプレーンをアンカリングすること、ＷＴＲＵ１０２ａ、１０２ｂ、１０２ｃのためのＤＬデータが使用可能であるときにページングをトリガすること、ＷＴＲＵ１０２ａ、１０２ｂ、１０２ｃのコンテキストを管理および記憶することなどの他の機能を行うことができる。
【００４１】
ＳＧＷ１６４はＰＧＷ１６６に接続されることができ、これはＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃにもたらすことができる。
【００４２】
ＣＮ１０６は、他のネットワークとの通信を容易にすることができる。例えばＣＮ１０６は、ＷＴＲＵ１０２ａ、１０２ｂ、１０２ｃと従来型の陸線通信デバイスとの間の通信を容易にするために、ＰＳＴＮ１０８などの回線交換ネットワークへのアクセスをＷＴＲＵ１０２ａ、１０２ｂ、１０２ｃにもたらすことができる。例えばＣＮ１０６は、ＣＮ１０６とＰＳＴＮ１０８との間のインターフェイスとして働くＩＰゲートウェイ（例えばＩＰマルチメディアサブシステム（ＩＭＳ）サーバ）を含むことができ、またはそれと通信することができる。さらにＣＮ１０６は、ＷＴＲＵ１０２ａ、１０２ｂ、１０２ｃに他のネットワーク１１２へのアクセスをもたらすことができ、これらは他のサービスプロバイダによって所有および／または運用される他の有線および／または無線ネットワークを含むことができる。
【００４３】
ＷＴＲＵは、図１Ａ〜１Ｄにおいて無線端末として述べられるが、いくつかの代表的な例においてこのような端末は、通信ネットワークとの有線通信インターフェイスを用い得る（例えば一時的にまたは恒久的に）ことが企図される。
【００４４】
代表的な例において他のネットワーク１１２は、ＷＬＡＮとすることができる。
【００４５】
インフラストラクチャ基本サービスセット（ＢＳＳ）モードでのＷＬＡＮは、ＢＳＳのためのアクセスポイント（ＡＰ）、およびＡＰに関連付けられた１つまたは複数のステーション（ＳＴＡ）を有し得る。ＡＰは、分配システム（ＤＳ）、またはＢＳＳ内へのおよび／またはそれからのトラフィックを運ぶ他のタイプの有線／無線ネットワークへの、アクセスまたはインターフェイスを有することができる。ＢＳＳの外部から生じるＳＴＡへのトラフィックは、ＡＰを通して到着することができ、ＳＴＡに届けられ得る。ＳＴＡから生じる、ＢＳＳの外部の宛先へのトラフィックは、ＡＰに送られてそれぞれの宛先に届けられ得る。ＢＳＳ内のＳＴＡ間のトラフィックはＡＰを通して送られることができ、例えば送信元ＳＴＡはトラフィックをＡＰに送ることができ、ＡＰはトラフィックを宛先ＳＴＡに届けることができる。ＢＳＳ内のＳＴＡ間のトラフィックは、ピアツーピアトラフィックと考えられるおよび／または呼ばれることができる。ピアツーピアトラフィックは、直接リンクセットアップ（ＤＬＳ）によって、送信元と宛先ＳＴＡとの間で（例えばそれらの間で直接）送られ得る。いくつかの代表的な例においてＤＬＳは、８０２．１１ｅ  ＤＬＳまたは８０２．１１ｚトンネルＤＬＳ（ＴＤＬＳ）を用いることができる。独立ＢＳＳ（ＩＢＳＳ）モードを用いるＷＬＡＮはＡＰをもたなくてもよく、ＩＢＳＳにおけるまたはそれを用いるＳＴＡ（例えばＳＴＡのすべて）は、互いに直接通信することができる。ＩＢＳＳ通信モードは本明細書では時には、「アドホック」通信モードと呼ばれ得る。
【００４６】
８０２．１１ａｃインフラストラクチャ動作モードまたは同様な動作モードを用いるとき、ＡＰはプライマリチャネルなどの固定チャネル上に、ビーコンを送信することができる。プライマリチャネルは固定の幅とする（例えば２０ＭＨｚ幅の帯域幅）、またはシグナリングを通じて動的に設定される幅とすることができる。プライマリチャネルはＢＳＳの動作チャネルとすることができ、ＳＴＡによってＡＰとの接続を確立するために用いられ得る。いくつかの代表的な例において、例えば８０２．１１システムにおいてキャリア検知多重アクセス／衝突回避（ＣＳＭＡ／ＣＡ）が実施され得る。ＣＳＭＡ／ＣＡに対して、ＡＰを含み、ＳＴＡ（例えばあらゆるＳＴＡ）はプライマリチャネルを検知することができる。特定のＳＴＡによって、プライマリチャネルがビジーであることが検知／検出および／または決定された場合、特定のＳＴＡはバックオフすることができる。所与のＢＳＳにおける任意の所与の時点において、１つのＳＴＡ（例えば１つのステーションのみ）が送信することができる。
【００４７】
高スループット（ＨＴ）ＳＴＡは通信のために、例えば４０ＭＨｚ幅のチャネルを形成するようにプライマリ２０ＭＨｚチャネルと隣接したまたは隣接しない２０ＭＨｚチャネルとの組み合わせを通じて、４０ＭＨｚ幅のチャネルを用いることができる。
【００４８】
超高スループット（ＶＨＴ）ＳＴＡは、２０ＭＨｚ、４０ＭＨｚ、８０ＭＨｚ、および／または１６０ＭＨｚ幅のチャネルをサポートすることができる。４０ＭＨｚおよび／または８０ＭＨｚチャネルは、連続した２０ＭＨｚチャネルを組み合わせることによって形成され得る。１６０ＭＨｚチャネルは、８つの連続した２０ＭＨｚチャネルを組み合わせることによって、または８０＋８０構成と呼ばれ得る２つの連続しない８０ＭＨｚチャネルを組み合わせることによって形成され得る。８０＋８０構成に対してデータは、チャネルエンコーディングの後、データを２つのストリームに分割することができるセグメントパーサに通過され得る。各ストリームに対して別々に、逆高速フーリエ変換（ＩＦＦＴ）処理、および時間領域処理が行われ得る。ストリームは２つの８０ＭＨｚチャネル上にマッピングされることができ、データは送信するＳＴＡによって送信され得る。受信するＳＴＡの受信器では上述の８０＋８０構成に対する動作が逆にされることができ、組み合わされたデータはメディアアクセス制御（ＭＡＣ）に送られ得る。
【００４９】
サブ１ＧＨｚ動作モードは、８０２．１１ａｆおよび８０２．１１ａｈによってサポートされる。８０２．１１ａｆおよび８０２．１１ａｈにおいてチャネル動作帯域幅およびキャリアは、８０２．１１ｎおよび８０２．１１ａｃで用いられるものと比べて低減される。８０２．１１ａｆはＴＶホワイトスペース（ＴＶＷＳ）スペクトル内の５ＭＨｚ、１０ＭＨｚ、および２０ＭＨｚ帯域幅をサポートし、８０２．１１ａｈは非ＴＶＷＳスペクトルを用いた１ＭＨｚ、２ＭＨｚ、４ＭＨｚ、８ＭＨｚ、および１６ＭＨｚ帯域幅をサポートする。代表的な例によれば８０２．１１ａｈは、マクロカバレージエリア内のＭＴＣデバイスなど、メータタイプ制御／マシンタイプ通信をサポートすることができる。ＭＴＣデバイスは一定の能力、例えば一定のおよび／または制限された帯域幅に対するサポート（例えばそれらに対するサポートのみ）を含む制限された能力を有することができる。ＭＴＣデバイスは、閾値より高い電池寿命を有する電池を含むことができる（例えば非常に長い電池寿命を維持するように）。
【００５０】
８０２．１１ｎ、８０２．１１ａｃ、８０２．１１ａｆ、および８０２．１１ａｈなど、複数のチャネルおよびチャネル帯域幅をサポートし得るＷＬＡＮシステムは、プライマリチャネルとして指定され得るチャネルを含む。プライマリチャネルは、ＢＳＳ内のすべてのＳＴＡによってサポートされる最も大きな共通動作帯域幅に等しい帯域幅を有することができる。プライマリチャネルの帯域幅は、最小の帯域幅動作モードをサポートする、ＢＳＳ内で動作するすべてのＳＴＡの中からのＳＴＡによって設定および／または制限され得る。８０２．１１ａｈの例においてプライマリチャネルは、ＡＰおよびＢＳＳ内の他のＳＴＡが２ＭＨｚ、４ＭＨｚ、８ＭＨｚ、１６ＭＨｚ、および／または他のチャネル帯域幅動作モードをサポートする場合でも、１ＭＨｚモードをサポートする（例えばそれのみをサポートする）ＳＴＡ（例えばＭＴＣタイプデバイス）に対しては１ＭＨｚ幅とすることができる。キャリア検知および／またはネットワーク割り当てベクトル（ＮＡＶ）設定は、プライマリチャネルのステータスに依存し得る。例えばＡＰに送信するＳＴＡ（１ＭＨｚ動作モードのみをサポートする）に起因してプライマリチャネルがビジーである場合、たとえ周波数帯域の大部分がアイドルのままであり使用可能であり得る場合でも、使用可能な周波数帯域全体がビジーであると見なされ得る。
【００５１】
米国において８０２．１１ａｈによって用いられ得る使用可能な周波数帯域は、９０２ＭＨｚから９２８ＭＨｚである。韓国において使用可能な周波数帯域は、９１７．５ＭＨｚから９２３．５ＭＨｚである。日本において使用可能な周波数帯域は、９１６．５ＭＨｚから９２７．５ＭＨｚである。８０２．１１ａｈのために使用可能な総帯域幅は、国コードに応じて６ＭＨｚから２６ＭＨｚである。
【００５２】
図１Ｄは、例によるＲＡＮ１１３およびＣＮ１１５を示すシステム図である。上記のようにＲＡＮ１１３は、ＮＲ無線技術を使用して、エアインターフェイス１１６を通してＷＴＲＵ１０２ａ、１０２ｂ、１０２ｃと通信することができる。ＲＡＮ１１３はまた、ＣＮ１１５と通信することができる。
【００５３】
ＲＡＮ１１３は、ｇＮＢ１８０ａ、１８０ｂ、１８０ｃを含むことができるが、ＲＡＮ１１３は例と一貫性を保ちながら、任意の数のｇＮＢを含み得ることが理解されるであろう。ｇＮＢ１８０ａ、１８０ｂ、１８０ｃはそれぞれ、エアインターフェイス１１６を通してＷＴＲＵ１０２ａ、１０２ｂ、１０２ｃと通信するための１つまたは複数のトランシーバを含むことができる。一例においてｇＮＢ１８０ａ、１８０ｂ、１８０ｃは、ＭＩＭＯ技術を実施することができる。例えばｇＮＢ１８０ａ、１０８ｂは、ｇＮＢ１８０ａ、１８０ｂ、１８０ｃに信号を送信し、および／またはそれらから信号を受信するために、ビームフォーミングを利用することができる。従ってｇＮＢ１８０ａは、例えば複数のアンテナを用いてＷＴＲＵ１０２ａに無線信号を送信し、および／またはそれから無線信号を受信することができる。例においてｇＮＢ１８０ａ、１８０ｂ、１８０ｃは、キャリアアグリゲーション技術を実施することができる。例えばｇＮＢ１８０ａは、複数のコンポーネントキャリアをＷＴＲＵ１０２ａに送信することができる（図示せず）。これらのコンポーネントキャリアのサブセットは無認可のスペクトル上とすることができ、残りのコンポーネントキャリアは認可されたスペクトル上とすることができる。例においてｇＮＢ１８０ａ、１８０ｂ、１８０ｃは、協調マルチポイント（ＣｏＭＰ）技術を実施することができる。例えばＷＴＲＵ１０２ａは、ｇＮＢ１８０ａおよびｇＮＢ１８０ｂ（および／またはｇＮＢ１８０ｃ）からの協調された送信を受信することができる。
【００５４】
ＷＴＲＵ１０２ａ、１０２ｂ、１０２ｃは、スケーラブルニューメロロジーに関連付けられた送信を用いてｇＮＢ１８０ａ、１８０ｂ、１８０ｃと通信することができる。例えばＯＦＤＭシンボル間隔および／またはＯＦＤＭサブキャリア間隔は、異なる送信、異なるセル、および／または無線送信スペクトルの異なる部分に対して変わり得る。ＷＴＲＵ１０２ａ、１０２ｂ、１０２ｃは、種々のまたはスケーラブルな長さ（例えば様々な数のＯＦＤＭシンボルを含んだ、および／または様々な長さの絶対時間だけ継続する）のサブフレームまたは送信時間間隔（ＴＴＩ）を用いて、ｇＮＢ１８０ａ、１８０ｂ、１８０ｃと通信することができる。
【００５５】
ｇＮＢ１８０ａ、１８０ｂ、１８０ｃは、スタンドアロン構成および／または非スタンドアロン構成において、ＷＴＲＵ１０２ａ、１０２ｂ、１０２ｃと通信するように構成され得る。スタンドアロン構成においてＷＴＲＵ１０２ａ、１０２ｂ、１０２ｃは、他のＲＡＮ（例えばｅノードＢ１６０ａ、１６０ｂ、１６０ｃなど）にもアクセスせずに、ｇＮＢ１８０ａ、１８０ｂ、１８０ｃと通信し得る。スタンドアロン構成においてＷＴＲＵ１０２ａ、１０２ｂ、１０２ｃは、ｇＮＢ１８０ａ、１８０ｂ、１８０ｃの１つまたは複数をモビリティアンカーポイントとして利用し得る。スタンドアロン構成においてＷＴＲＵ１０２ａ、１０２ｂ、１０２ｃは、無認可の帯域内の信号を用いてｇＮＢ１８０ａ、１８０ｂ、１８０ｃと通信し得る。非スタンドアロン構成においてＷＴＲＵ１０２ａ、１０２ｂ、１０２ｃは、ｅノードＢ１６０ａ、１６０ｂ、１６０ｃなどの他のＲＡＮとも通信／接続しながら、ｇＮＢ１８０ａ、１８０ｂ、１８０ｃと通信／接続することができる。例えばＷＴＲＵ１０２ａ、１０２ｂ、１０２ｃはＤＣ原理を実施して、１つまたは複数のｇＮＢ１８０ａ、１８０ｂ、１８０ｃ、および１つまたは複数のｅノードＢ１６０ａ、１６０ｂ、１６０ｃと、実質的に同時に通信することができる。非スタンドアロン構成においてｅノードＢ１６０ａ、１６０ｂ、１６０ｃは、ＷＴＲＵ１０２ａ、１０２ｂ、１０２ｃのためのモビリティアンカとして働くことができ、ｇＮＢ１８０ａ、１８０ｂ、１８０ｃは、ＷＴＲＵ１０２ａ、１０２ｂ、１０２ｃにサービスするための追加のカバレージおよび／またはスループットをもたらし得る。
【００５６】
ｇＮＢ１８０ａ、１８０ｂ、１８０ｃのそれぞれは、特定のセル（図示せず）に関連付けられることができ、無線リソース管理決定、ハンドオーバ決定、ＵＬおよび／またはＤＬにおけるユーザのスケジューリング、ネットワークスライシングのサポート、デュアルコネクティビティ、ＮＲとＥ−ＵＴＲＡとの間のインターワーキング、ユーザプレーンデータをユーザプレーン機能（ＵＰＦ）１８４ａ、１８４ｂに向けて経路指定すること、制御プレーン情報をアクセスおよびモビリティ管理機能（ＡＭＦ）１８２ａ、１８２ｂに向けて経路指定することなどに対処するように構成され得る。図１Ｄに示されるようにｇＮＢ１８０ａ、１８０ｂ、１８０ｃは、Ｘｎインターフェイスを通して互いに通信することができる。
【００５７】
図１Ｄに示されるＣＮ１１５は、少なくとも１つのＡＭＦ１８２ａ、１８２ｂ、少なくとも１つのＵＰＦ１８４ａ、１８４ｂ、少なくとも１つのセッション管理機能（ＳＭＦ）１８３ａ、１８３ｂ、および場合によってはデータネットワーク（ＤＮ）１８５ａ、１８５ｂを含み得る。上記の要素のそれぞれはＣＮ１１５の一部として描かれるが、これらの要素のいずれも、ＣＮオペレータ以外のエンティティによって所有および／または運用され得ることが理解されるであろう。
【００５８】
ＡＭＦ１８２ａ、１８２ｂは、Ｎ２インターフェイスを通じてＲＡＮ１１３内のｇＮＢ１８０ａ、１８０ｂ、１８０ｃの１つまたは複数に接続されることができ、制御ノードとして働き得る。例えばＡＭＦ１８２ａ、１８２ｂは、ＷＴＲＵ１０２ａ、１０２ｂ、１０２ｃのユーザを認証すること、ネットワークスライシングのためのサポート（例えば異なる要件を有する異なるＰＤＵセッションの対処）、特定のＳＭＦ１８３ａ、１８３ｂを選択すること、レジストレーションエリアの管理、ＮＡＳシグナリングの終了、モビリティ管理などに対して責任をもつことができる。ネットワークスライシングは、ＷＴＲＵ１０２ａ、１０２ｂ、１０２ｃによって利用されるサービスのタイプに基づいて、ＷＴＲＵ１０２ａ、１０２ｂ、１０２ｃに対するＣＮサポートをカスタマイズするために、ＡＭＦ１８２ａ、１８２ｂによって用いられ得る。例えば異なるネットワークスライスは、超高信頼度低待ち時間（ＵＲＬＬＣ）アクセスに依存したサービス、強化型大規模モバイルブロードバンド（ｅＭＢＢ）アクセスに依存したサービス、マシンタイプ通信（ＭＴＣ）アクセスのためのサービス、および／またはその他などの、異なるユースケースに対して確立され得る。ＡＭＦ１６２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術などの他の無線技術を使用する他のＲＡＮ（図示せず）との間で切り換えるための、制御プレーン機能をもたらすことができる。
【００５９】
ＳＭＦ１８３ａ、１８３ｂは、Ｎ１１インターフェイスを通じてＣＮ１１５内のＡＭＦ１８２ａ、１８２ｂに接続され得る。ＳＭＦ１８３ａ、１８３ｂはまた、Ｎ４インターフェイスを通じてＣＮ１１５内のＵＰＦ１８４ａ、１８４ｂに接続され得る。ＳＭＦ１８３ａ、１８３ｂは、ＵＰＦ１８４ａ、１８４ｂを選択および制御し、ＵＰＦ１８４ａ、１８４ｂを通るトラフィックの経路指定を構成することができる。ＳＭＦ１８３ａ、１８３ｂは、ＵＥ  ＩＰアドレスを管理するおよび割り当てること、ＰＤＵセッションを管理すること、ポリシー実行およびＱｏＳを制御すること、ダウンリンクデータ通知をもたらすことなどの他の機能を行うことができる。ＰＤＵセッションタイプは、ＩＰベース、非ＩＰベース、イーサネットベースなどとすることができる。
【００６０】
ＵＰＦ１８４ａ、１８４ｂは、Ｎ３インターフェイスを通じてＲＡＮ１１３内のｇＮＢ１８０ａ、１８０ｂ、１８０ｃの１つまたは複数に接続されることができ、これはＷＴＲＵ１０２ａ、１０２ｂ、１０２ｃとＩＰ対応デバイスとの間の通信を容易にするために、インターネット１１０などのパケット交換ネットワークへのアクセスをＷＴＲＵ１０２ａ、１０２ｂ、１０２ｃにもたらすことができる。ＵＰＦ１８４ａ、１８４ｂは、パケットを経路指定および転送すること、ユーザプレーンポリシーを実行すること、マルチホーム型ＰＤＵセッションをサポートすること、ユーザプレーンＱｏＳに対処すること、ダウンリンクパケットをバッファすること、モビリティアンカリングをもたらすことなどの他の機能を行うことができる。
【００６１】
ＣＮ１１５は、他のネットワークとの通信を容易にすることができる。例えばＣＮ１１５は、ＣＮ１１５とＰＳＴＮ１０８との間のインターフェイスとして働くＩＰゲートウェイ（例えばＩＰマルチメディアサブシステム（ＩＭＳ）サーバ）を含むことができ、またはそれと通信することができる。さらにＣＮ１１５は、ＷＴＲＵ１０２ａ、１０２ｂ、１０２ｃに、他のサービスプロバイダによって所有および／または運用される他の有線および／または無線ネットワークを含み得る他のネットワーク１１２へのアクセスをもたらすことができる。一例においてＷＴＲＵ１０２ａ、１０２ｂ、１０２ｃは、ＵＰＦ１８４ａ、１８４ｂへのＮ３インターフェイス、およびＵＰＦ１８４ａ、１８４ｂとＤＮ１８５ａ、１８５ｂとの間のＮ６インターフェイスを通じて、ＵＰＦ１８４ａ、１８４ｂを通してローカルデータネットワーク（ＤＮ）１８５ａ、１８５ｂに接続され得る。
【００６２】
図１Ａ〜１Ｄ、および図１Ａ〜１Ｄの対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書で述べられる任意の他のデバイスの１つまたは複数に関して、本明細書で述べられる機能の１つまたは複数またはすべては、１つまたは複数のエミュレーションデバイス（図示せず）によって行われ得る。エミュレーションデバイスは、本明細書で述べられる機能の１つまたは複数またはすべてをエミュレートするように構成された１つまたは複数のデバイスとすることができる。例えばエミュレーションデバイスは、他のデバイスをテストするおよび／または、ネットワークおよび／またはＷＴＲＵ機能をシミュレートするために用いられ得る。
【００６３】
エミュレーションデバイスは、研究室環境および／またはオペレータネットワーク環境において他のデバイスの１つまたは複数のテストを実施するように設計され得る。例えば１つまたは複数のエミュレーションデバイスは、通信ネットワーク内の他のデバイスをテストするために、有線および／または無線通信ネットワークの一部として全体または部分的に実施および／または配備されながら、１つまたは複数またはすべての機能を行うことができる。１つまたは複数のエミュレーションデバイスは、有線および／または無線通信ネットワークの一部として一時的に実施／配備されながら、１つまたは複数またはすべての機能を行うことができる。エミュレーションデバイスは、テストの目的のために別のデバイスに直接結合されることができ、および／またはオーバーザエア無線通信を用いてテストを行い得る。
【００６４】
１つまたは複数のエミュレーションデバイスは、有線および／または無線通信ネットワークの一部として実施／配備されずに、すべてを含み１つまたは複数の機能を行うことができる。例えばエミュレーションデバイスは、１つまたは複数の構成要素のテストを実施するために、テスト室および／または配備されていない（例えばテストする）有線および／または無線通信ネットワークにおけるテストシナリオにおいて利用され得る。１つまたは複数のエミュレーションデバイスは、テスト機器とすることができる。データを送信および／または受信するためにエミュレーションデバイスによって、直接ＲＦ結合および／またはＲＦ回路（例えばこれは１つまたは複数のアンテナを含み得る）を通じた無線通信が用いられ得る。
【００６５】
ＷＴＲＵは、測定を行うために１つまたは複数のチャネル状態情報基準信号（ＣＳＩ−ＲＳ）を用いることができる。ＣＳＩ−ＲＳは、物理ダウンリンク共有チャネル（ＰＤＳＣＨ）領域内とすることができる、デューティサイクル（例えば５、１０、２０、４０、８０ｍｓ）を有する広帯域（例えばシステム帯域幅にわたる）を用いて送信され得る。サブフレーム内で、いくつかのＣＳＩ−ＲＳパターン（例えば２０個のＣＳＩ−ＲＳパターン、２０個未満のＣＳＩ−ＲＳパターン未満、２０個より多いＣＳＩ−ＲＳパターン）が使用可能となり得る。ＣＳＩ−ＲＳパターンは、ＣＳＩ−ＲＳ再使用パターンとすることができる。ＣＳＩ−ＲＳパターンは、送信デバイスにおいて使用され得るアンテナポートの数の関数とすることができる。
【００６６】
図２は、基準信号（ＲＳ）２１０、２２０、２３０の例示的表示を含む図２００を示す。ＲＳ２１０、２２０、２３０は、送信のために用いられ得るアンテナポートの数に基づくことができるＣＳＩ−ＲＳパターンを含み得る。図２において、それぞれの示されるＲＳ内の１つまたは複数のリソース要素（ＲＥ）の同じ表示（例えば図２に示される同じ陰影付け）は、ＣＳＩ−ＲＳ構成および／またはＣＳＩ−ＲＳパターンに関連付けられ得る１つまたは複数のＲＥのセットを示すことができる。本開示においてＣＳＩ−ＲＳパターン、ＣＳＩ−ＲＳ再使用パターン、ＣＳＩ−ＲＳパターン再使用、およびＣＳＩ−ＲＳ構成は、同義的に用いられ得ることに留意されたい。
【００６７】
図２において、２個（例えばＲＳ２１０）、４個（例えばＲＳ２２０）、および８個（例えばＲＳ２３０）のアンテナポートのそれぞれに対するＣＳＩ−ＲＳパターンが示される。このような２個、４個、および８個のアンテナポートの１つまたは複数のＣＳＩ−ＲＳ再使用パターンは、例えば８個より多いアンテナポートが用いられ得る場合、ＣＳＩ−ＲＳパターンを形成するようにアグリゲートされ得る。
【００６８】
ＣＳＩ−ＲＳ構成とは、ＣＳＩ測定のために送信されることになる１つまたは複数の基準信号の構成を指すことができる。本明細書で述べられる例は、アップリンクにおいてＷＴＲＵによって送信されることになる１つまたは複数の基準信号を定義するＣＳＩ−ＲＳ構成を受信する、ＷＴＲＵの観点から説明され得るが、ＷＴＲＵはまたダウンリンクにおいて受信されることになる１つまたは複数の基準信号を定義するＣＳＩ−ＲＳ構成を受信し得る。例えばＷＴＲＵは、１つまたは複数のＣＳＩ−ＲＳ（例えば時間／周波数位置、電力レベル、周期性、周波数ホッピングパターン、コードなど）を定義する第１のＣＳＩ−ＲＳ構成を受信することができる。次いでＷＴＲＵは、例えばトリガに基づいて周期的におよび／または非周期的に、構成に従ってＣＳＩ−ＲＳを送信し得る。トリガは、ＣＳＩ構成のどの部分が所与の非周期的ＣＳＩ−ＲＳ送信に対して適用可能であるかを示すことができる。例えばトリガ（例えばＤＣＩ）は、ＣＳＩ−ＲＳが非ゼロ出力（non-zero power）ＲＳを用いて、それともゼロ出力ＣＳＩ  ＲＳを用いて（例えばミューティングが行われることになる）送信されることになるかを示すことができる。
【００６９】
ダウンリンクＣＳＩ−ＲＳを受信するＷＴＲＵの例において、ＷＴＲＵは、１つまたは複数のＣＳＩ−ＲＳ（例えば時間／周波数位置、電力レベル、周期性、周波数ホッピングパターン、コードなど）を定義する第２のＣＳＩ−ＲＳ構成を受信することができる。次いでＷＴＲＵは、例えばトリガに基づいて周期的におよび／または非周期的に、構成に従ってＣＳＩ−ＲＳを受信し得る。トリガは、ＣＳＩ構成のどの部分が所与の非周期的ＣＳＩ−ＲＳ送信に対して適用可能であるかを示すことができる。例えばトリガ（例えばＤＣＩ）は、ＣＳＩ−ＲＳが、第１のＣＳＩ−ＲＳパターンに従って、それとも第２のＣＳＩ−ＲＳパターンに従って受信されることになるかを示すことができる。
【００７０】
例においてＷＴＲＵは、複数の可能なＣＳＩ−ＲＳ送信、例えばＣＳＩ−ＲＳダウンリンク送信を定義するＣＳＩ−ＲＳ構成を受信する。いくつかのサブフレームにおいて、可能なＣＳＩ送信のそれぞれは、例えばＣＳＩ−ＲＳ構成に従ってＣＳＩ−ＲＳ送信を送信するｅＮＢによって行われ得る。ｅＮＢがそのサブフレーム内で、ＣＳＩ−ＲＳ構成に従ってＣＳＩ−ＲＳ送信を送信するようになることを、ＷＴＲＵに示すためにＤＣＩが用いられ得る。例において、ＷＴＲＵによって送られることになるＣＳＩ−ＲＳ送信のすべては、ＷＴＲＵに対して適用可能でない場合があり、またはそうでなければＷＴＲＵによって測定されない場合がある。例えば第１のＤＣＩは、サブフレームに対してアクティブである複数のＣＳＩ−ＲＳ示すために用いられ得る。第２のＤＣＩは、アクティブでありかつＷＴＲＵによって測定されるべきである、複数のＣＳＩ−ＲＳのサブセットを示すことができる。ＷＴＲＵは第１および第２のＤＣＩを用いて、複数のＣＳＩ−ＲＳのどれが測定されるべきであるか（例えば示されたサブセット）、および複数のＣＳＩ−ＲＳのどれがミュートされるべきであるか（例えばアクティブセットから、示されたサブセットを除いたもの）を決定することができる。ＷＴＲＵは、ＷＴＲＵによって測定されないアクティブＣＳＩ−ＲＳを含むＲＥのミューティングを、それらのリソース要素に対してレートマッチング、および／または本明細書で述べられる他の技法を行うことによって行うことができる。レートマッチングは、ミュートされることになるそのリソース要素を含むＰＤＳＣＨ送信を受信するために行われ得る。
【００７１】
本明細書で用いられる「ＤＣＩ」は、「ダウンリンク制御インジケータ」または「ダウンリンク制御情報」を指し得ることに留意されたい。本明細書では「ダウンリンク制御インジケータ」、「ダウンリンク制御情報」、および「ＤＣＩ」は同義的に用いられ得る。
【００７２】
ＣＳＩフィードバックをレポートするために、１つまたは複数のチャネルおよび／またはチャネルタイプが用いられ得る。例えばＣＳＩフィードバックをレポートするために、物理アップリンク制御チャネル（ＰＵＣＣＨ）または物理アップリンク共有チャネル（ＰＵＳＣＨ）のいずれかまたは両方が用いられ得る。例えばＰＵＣＣＨチャネルは、例えば限られたフィードバックオーバーヘッドを利用しながら、ＣＳＩフィードバックをもたらすことができる。例えばＰＵＳＣＨチャネルは、例えば比較的低い信頼性をもたらしながら、比較的大きな量のフィードバックオーバーヘッドをもたらし得る。例えば粗いリンク適応が使用され得る場合には、ＰＵＣＣＨチャネルは周期的ＣＳＩフィードバックのために用いられ得る。例えばよりきめの細かいリンク適応が使用され得る場合には、ＰＵＳＣＨチャネルは非周期的ＣＳＩレポーティングのトリガリングの後すぐに用いられ得る。
【００７３】
ＣＳＩフィードバックは、ランクインジケータ（ＲＩ）、プリコーダ行列インデックス（ＰＭＩ）、およびチャネル品質インジケータ（ＣＱＩ）の少なくとも１つを含むことができる（例えばそれらを含み得るフォーマットにおいてレポートされ得る）。ＲＩおよび／またはＰＭＩはＷＴＲＵ受信器において、例えばこのようなＷＴＲＵが、ＷＴＲＵスループットを増加させ得るランクおよび／またはプリコーディング行列を選択（例えば予め規定されたコードブックから）することによって計算され得る。ＰＭＩおよび／またはＣＱＩは、広帯域、サブバンド、およびＷＴＲＵにより選択されたサブバンドなど、１つまたは複数のカテゴリに割り振られ、および／またはそれらに関連付けられるものとしてレポートされ得る。ＲＩは、広帯域を用いて（例えばそれのみで）レポートされ得る。表１は、ＰＵＣＣＨおよび／またはＰＵＳＣＨに関連付けられ得る、例示のスケジューリングモードを示す。表２は、送信モードおよび／またはレポーティングモード（例えば周期的または非周期的）に従って、ＣＳＩフィードバックのために用いられ得る例示の値を示す。
【００７４】
【表１】
2019530276.tif 000003
【００７５】
【表２】
2019530276.tif 000004
【００７６】
周期的および／または非周期的フィードバック（例えばＣＳＩフィードバック）は、ＰＵＣＣＨチャネル上に送信され得る。周期的および／または非周期的フィードバックはまた、または代わりに、例えばＰＵＳＣＨチャネル割り当てがＷＴＲＵにもたらされているおよび／または他の形で使用可能であるとき、ＰＵＳＣＨチャネル上に送信され得る。
【００７７】
周期的レポーティングは、１つまたは複数のレポートのタイプ、および／または１つまたは複数のレポートのタイプの１つまたは複数のシーケンスを用いることができる。レポートタイプは、例えばレポートタイプ１（例えばサブバンドＣＱＩに関連付けられ得る）、レポートタイプ２（例えば広帯域ＣＱＩ／ＰＭＩに関連付けられ得る）、レポートタイプ３（例えばＲＩに関連付けられ得る）、および／またはレポートタイプ４（例えば広帯域ＣＱＩに関連付けられ得る）の１つまたは複数とすることができる。
【００７８】
非周期的ＣＳＩ（例えばＣＳＩフィードバック）は、例えばアップリンクグラント（例えばダウンリンク制御インジケータ（ＤＣＩ）フォーマット０、ＤＣＩフォーマット４）によって要求され得る。非周期的ＣＳＩ（例えばＣＳＩフィードバック）は、例えば関連付けられたＤＣＩ内でＣＱＩ要求ビットがセットされ得るとき、要求され得る。非周期的ＣＳＩ（例えばＣＳＩフィードバック）は、例えばＰＵＳＣＨ上に送信され得る。
【００７９】
ＣＳＩレポートタイプ（例えば周期的ＣＳＩレポートタイプ）は、例えば８個の送信（Ｔｘ）アンテナポートが用いられ得るとき、レポートタイプの１つまたは複数を含むことができる。このようなレポートタイプは、タイプ１レポート（例えばＷＴＲＵにより選択されたサブバンドに対するＣＱＩフィードバックをサポートし得る）、およびタイプ１ａレポート（例えばサブバンドＣＱＩおよび／または第２のＰＭＩフィードバックをサポートし得る）の１つまたは複数を含むことができる。このようなレポートタイプはまた、または代わりにタイプ２、タイプ２ｂ、および／またはタイプ２ｃレポート（例えばそれらのそれぞれは広帯域ＣＱＩおよび／またはＰＭＩフィードバックをサポートし得る）の１つまたは複数を含むことができる。このようなレポートタイプはまた、または代わりに、タイプ２ａレポート（例えば広帯域ＰＭＩフィードバックをサポートし得る）、タイプ３レポート（例えばＲＩフィードバックをサポートし得る）、タイプ４レポート（例えば広帯域ＣＱＩをサポートし得る）、タイプ５レポート（例えばＲＩおよび／または広帯域ＰＭＩフィードバックをサポートし得る）、およびタイプ６レポート（例えばＲＩおよび／またはＰＴＩフィードバックをサポートし得る）の１つまたは複数を含むことができる。
【００８０】
例示的タイプ６レポートは、例えば８個の送信アンテナポートに対するプリコーディングタイプインジケータ（ＰＴＩ）を含む、および／または用いることができ、８Ｔｘ（８個の送信ポート）プリコーダはデュアルコードブックによって定義され得る。
【００８１】
ＲＥミューティングは、例えば信号の衝突を回避するために用いられ得る。ＲＥミューティングが用いられ得る場合には、例えばコーディングチェーンの観点から、パンクチャリングおよび／またはレートマッチングが用いられ得る。パンクチャリングが用いられ得る場合には、パンクチャリングされたＲＥにマッピングされ得る信号は、送信されなくてよく、および／またはこのようなパンクチャリングされたＲＥにおいてゼロ（０）電力において送信され得る。レートマッチングが用いられ得る場合には、１つまたは複数の信号の１つまたは複数のＲＥへのマッピングは、例えば結果として他の信号が送信されないことになり得る１つまたは複数の特定のＲＥへのマッピングを、回避するのに役立ち得る。
【００８２】
チャネルに対するＮビット符号化されたビットシーケンス、例えば（ｃ1，・・・，ｃN）は、入力としてペイロードおよび／または情報を有し得るチャネルエンコーダの出力とすることができる。このようなチャネルエンコーダは、ターボ符号、畳み込み符号、リード・マラー符号などの任意のチャネル符号を用いることができる。このような符号化されたビットシーケンスは、マッパへの入力とすることができる。
【００８３】
Ｍシンボル変調されたシンボルシーケンス、例えば（ｘ1，・・・，ｘM）は、符号化されたビットシーケンスが変調方式（例えば２相位相シフトキーイング（ＢＰＳＫ）、４相位相シフトキーイング（ＱＰＳＫ）、１６直交振幅変調（１６ＱＡＭ）、６４直交振幅変調（６４ＱＡＭ））に従って変調され得るマッパの出力とすることができる。長さＭの変調されたシンボルシーケンスは、例えば用いられ得る変調方式に基づいてＮに等しくまたはそれより小さくなり得る。
【００８４】
変調されたシンボルシーケンスは、例えば予め規定された順序に従って、チャネルに対する１つまたは複数のＲＥのセットにマッピングされ得る。例えばｘ1，・・・，ｘMは、一定の順序、例えば予め規定された順序で、チャネルに対して用いられ得るＭ個のＲＥにマッピングされ得る。ｋ番目（例えばｋ≦Ｍとして）のＲＥがミュートされ得る場合（例えば衝突に起因して）、パンクチャリングは、変調されたシンボルｘｋは送信され得ないことを示すことができる。レートマッチングは、マッピングはミュートされ得る１つまたは複数のＲＥをスキップし得ること、および／またはより少ない変調されたシンボルがマッピングされ得ることを、示すことができる。
【００８５】
Ｍ−１個の変調されたシンボルが、１つまたは複数のレートマッチングされたＲＥに対してマッピングおよび／または送信され得る。例えばｘ1，・・・，ｘM-1が送信されることができ、ｋ番目のＲＥのミューティングに基づいて、最後の変調されたシンボルは送信され得ない。パンクチャリングは、ミュートされたＲＥの位置における、符号化されたビットを失い得る。レートマッチングは、最後の符号化されたビットから、符号化されたビットを失い得る。
【００８６】
パンクチャリングを用いたＲＥミューティングは、本明細書では「ＲＥパンクチャリング」と呼ばれ得る。レートマッチングを用いたＲＥミューティングは、本明細書では「ＲＥレートマッチング」と呼ばれ得る。本明細書で用いられる「ＲＥミューティング」は、ＲＥパンクチャリングおよびＲＥレートマッチングのいずれかまたは両方を含み得る。
【００８７】
ＲＥミューティング（例えばＬＴＥシステムでの）は、例えば同じ方向における異なるタイプの信号の間の衝突を回避するために行われ得る。例えばダウンリンク（ＤＬ）においてＰＤＳＣＨ  ＲＥは、１つまたは複数のＣＳＩ−ＲＳ、および／または１つまたは複数の測位基準信号（ＰＲＳ）ＲＥとの衝突を回避するためにミュートされ得る。このようなＣＳＩ−ＲＳおよび／またはＰＲＳ  ＲＥは、プライマリ同期信号（ＰＳＳ）および／またはセカンダリ同期信号（ＳＳＳ）との衝突を回避するためにミュートされ得る。ＰＵＳＣＨおよび／またはＰＵＣＣＨを用い得るアップリンクチャネル（ＵＬ）は、ＵＬにおけるサウンディング基準信号（ＳＲＳ）との衝突を回避する目的で短縮化され得る。
【００８８】
拡張物理ダウンリンク制御チャネル（ＥＰＤＣＣＨ）は、周波数領域セル間干渉調整（ＩＣＩＣ）、および／またはビームフォーミング利得を達成するために用いられ得る。ＥＰＤＣＣＨ、ｅＰＤＣＣＨ、およびＥ−ＰＤＣＣＨは、本明細書では同義的に用いられ得る。拡張リソース要素グループ（ＥＲＥＧ）および拡張制御チャネル要素（ＥＣＣＥ）は、本明細書では同義的に用いられることができ、それぞれｅＲＥＧおよびｅＣＣＥとも呼ばれ得る。例えばＥＣＣＥを形成するために複数のＥＲＥＧが用いられ得るので、ＥＰＤＣＣＨリソースは、ＥＲＥＧまたはＥＣＣＥの観点から等価的に説明され得る。
【００８９】
ＷＴＲＵ固有探索空間に対するＥＰＤＣＣＨリソースは、ＰＤＳＣＨ領域内の物理リソースブロック（ＰＲＢ）のサブセットを用いて構成され得る。ＥＰＤＣＣＨリソースは、ＷＴＲＵ固有のやり方で構成され得る。ＥＰＤＣＣＨリソースセット（例えば２つまでのＥＰＤＣＣＨリソースセット）が、ＷＴＲＵのために構成され得る。ＥＰＤＣＣＨリソースセットは、２、４、または８ＰＲＢペアを用いて構成され得る。ＥＰＤＣＣＨリソースセットは、局在型リソースセットおよび／または分散型リソースセットとして決定され得る。
【００９０】
１つまたは複数のＰＲＢペアは、ＥＰＤＣＣＨリソースとして構成され得る。それぞれのこのようなＰＲＢペアにおいて、ＥＲＥＧの数が定義され得る。例えばそれぞれのこのようなＰＲＢペア対して１６個のＥＲＥＧが、例えば関連付けられたサイクリックプレフィックス（ＣＰ）長さ（例えば通常ＣＰ、拡張ＣＰ）に関わらず、定義され得る。
【００９１】
図３は、ＣＰサブフレーム内のＰＲＢペアの例示的ｅＲＥＧ定義３００を示す。このようなｅＲＥＧのためのＲＥは、周波数を優先するやり方で循環的に割り当てられることができ、および／または復調基準信号（ＤＭ−ＲＳ）に基づいてレートマッチングされ得る（例えば図３に示されるアンテナポート３０７、３０８、３０９、３１０）。これは結果として、チャネル推定性能がＰＲＢペア内のＲＥの位置に従って異なるので、ｅＲＥＧにわたるチャネル推定性能のランダム化を生じる。
【００９２】
ＥＣＣＥは、例えばＥＰＤＣＣＨリソースセット内とすることができる４個または８個のＥＲＥＧのグループ化によって定義され得る。ＥＰＤＣＣＨリソースセット内のＥＣＣＥの総数（ＮeCCE,setとして示され得る）は、このようなＥＰＤＣＣＨリソースセットのために構成され得るＰＲＢペアの数（ＮPRB,setとして示され得る）、および／またはＥＣＣＥのためにグループ化され得るＥＲＥＧの数（ＮeREGとして示される）の関数として決定され得る。例えば、ＮeCCE,set＝１６×ＮPRB,set／ＮeREGである。ＥＣＣＥのためのＥＲＥＧは、別のＥＣＣＥに関連付けられ得るＥＲＥＧとは相互に排他的とすることができる。
【００９３】
２つ以上のタイプのＥＣＣＥが、ＥＰＤＣＣＨリソースセットの動作モードに基づいて決定され得る（例えば局在型動作モード、分散型動作モード）。局在型動作モードのためのＥＣＣＥは、局在型ＥＣＣＥ（Ｌ−ＥＣＣＥ）と呼ばれ得る。分散型動作モードのためのＥＣＣＥは、分散型ＥＣＣＥ（Ｄ−ＥＣＣＥ）と呼ばれ得る。
【００９４】
Ｌ−ＥＣＣＥを形成するために、同じＰＲＢペア内に位置し得る複数のＥＲＥＧ（例えば４個または８個のＥＲＥＧ）が一緒にグループ化され得る。
【００９５】
Ｄ−ＥＣＣＥを形成するために、異なるＰＲＢペア内のＥＲＥＧがグループ化され得る。
【００９６】
ＥＰＤＣＣＨリソースセット内のＥＲＥＧは、関連付けられたＥＰＤＣＣＨリソースセットのために構成され得るＥＰＤＣＣＨの動作モードに基づいて、Ｌ−ＥＣＣＥおよび／またはＤ−ＥＣＣＥを形成するために用いられ得る。例えばＥＰＤＣＣＨリソースセットは、局在型動作モードを用いて構成され得る（例えば局在型ＥＰＤＣＣＨ）。このようなＥＰＤＣＣＨリソースセット内のＥＲＥＧは、Ｌ−ＥＣＣＥを形成するために用いられ得る。ＥＰＤＣＣＨリソースセットは、Ｌ−ＥＣＣＥまたはＤ−ＥＣＣＥとすることができるＥＣＣＥを含み得る。
【００９７】
表３は、例示的サブフレーム構成に基づいてＥＣＣＥを形成するためにグループ化され得る例示的なＥＲＥＧの数を示す。例えば、特定の実効符号化レートが用いられ得るようにＥＣＣＥ当たりに十分な数のＲＥが使用可能となり得る場合には、例えば時分割複信ＴＤＤにおける通常サブフレームおよび／または特別サブフレーム構成３、４、８のためにＥＣＣＥを形成するように４個のＥＲＥＧがグループ化され得る。
【００９８】
表３はさらに、特定の実効符号化レートが用いられ得るようにＥＣＣＥ当たりに十分な数のＲＥが使用可能となり得る場合には、例えば時分割複信ＴＤＤにおける通常サブフレームおよび／または特別サブフレーム構成１、２、６、７、９、および／または特別サブフレーム構成１、２、３、５、６のために、ＥＣＣＥを形成するようにグループ化され得る、例示的な８個のＥＲＥＧの数を示す。
【００９９】
【表３】
2019530276.tif 000005
【０１００】
ＥＰＤＣＣＨを用いて、ＷＴＲＵ固有探索空間が用いられ得る。共通探索空間は、ＰＤＣＣＨ領域に位置し（例えば常に位置し）得る。ダウンリンク制御シグナリング受信に対するＷＴＲＵ監視挙動は、ＷＴＲＵがＥＰＤＣＣＨにおいてＷＴＲＵ固有探索空間を、およびＰＤＣＣＨにおいて共通探索空間を監視するのに従って、ダウンリンクサブフレーム内で定義されることができ、ＥＰＤＣＣＨ監視サブフレームはより高位のレイヤのシグナリングを通じて構成され得る。ダウンリンク制御シグナリング受信のためのＷＴＲＵ監視挙動はまた、または代わりに、ＷＴＲＵがＰＤＣＣＨ内でＷＴＲＵ固有探索空間および共通探索空間の両方を監視するのに従って、ダウンリンクサブフレーム内で定義され得る。ＥＰＤＣＣＨサブフレームを監視するためにサブフレームが構成され得る場合に、例えばＥＰＤＣＣＨ  ＲＥと他の信号との間の衝突に起因して、このようなサブフレーム内でＥＰＤＣＣＨが使用可能となり得ない場合、ＷＴＲＵがＷＴＲＵ固有探索空間のためにＰＤＣＣＨを監視し得るように、ＷＴＲＵ固有探索空間フォールバックが用いられ得る。
【０１０１】
表４は、ＰＲＢペア内のＥＰＤＣＣＨのために使用可能なＲＥの数（ｎEPDCCH）の関数とすることができるアグリゲーションレベル（例えばＮECCE）の観点からの、例示的ＥＰＤＣＣＨフォーマットを示す。使用可能なＲＥの数が閾値未満（例えばｎEPDCCH＜１０４）となり得る場合には、同様な実効符号化レートを維持する目的で、アグリゲーションレベルは増加し得る。例えばｎEPDCCH＜１０４である場合には、局在型送信のために用いられ得る１つまたは複数のサポート可能なＥＰＤＣＣＨフォーマットは、ＮECCE∈｛２，４，８，１６｝とすることができ、他の場合（例えばｎEPDCCH≧１０４の場合）にはＮECCE∈｛１，２，４，８｝が用いられ得る。アグリゲーションレベルのセットは、ＥＰＤＣＣＨ送信モードに基づくことができる。
【０１０２】
【表４】
2019530276.tif 000006
【０１０３】
ＥＰＤＣＣＨ  ＲＥは、ＰＲＢペア内のＲＥとして定義され得る。ＥＰＤＣＣＨ  ＲＥは、ブロック図４００に示される例示のＥＰＤＣＣＨ  ＲＥ定義４２０および４３０の構成要素として図４に示されるアンテナポート｛４０７，４０８，４０９，４１０｝などのアンテナポートによって占有され得ないＲＥとすることができる。
【０１０４】
図４は、他の信号との衝突がないＣＰ長さに基づく、ＰＲＢペアに対する例示的ＥＰＤＣＣＨ  ＲＥ定義４２０および４３０を示す。このような例での結果は、それぞれ通常ＣＰおよび拡張ＣＰに対して、１４４個の使用可能なＲＥ（ＥＰＤＣＣＨ  ＲＥ定義４２０に示されるように）、および／または１２８個の使用可能なＲＥ（ＥＰＤＣＣＨ  ＲＥ定義４３０に示されるように）となり得る。
【０１０５】
ＥＰＤＣＣＨリソースは、ＥＰＤＣＣＨのためのＲＥが、非限定的にＣＳＩ−ＲＳ、ＣＲＳ、ＰＲＳ、ＰＢＣＨ、ＳＣＨ、およびＰＤＣＣＨなどの１つまたは複数の他の信号と衝突し得るように、ＰＤＳＣＨ領域内に構成され得る。ＲＥが１つまたは複数の他の信号と衝突するときのＷＴＲＵ挙動は、ＣＳＩ−ＲＳ、ＣＲＳ、および／またはＰＤＣＣＨと衝突するＲＥの周りのＥＰＤＣＣＨに対するレートマッチング符号化ビットを含むことができる。ＲＥが１つまたは複数の他の信号と衝突するときのＷＴＲＵ挙動はまた、または代わりに、ＥＰＤＣＣＨのために用いられ得ないサブフレーム内のＰＢＣＨおよびＳＣＨのためのＰＲＢペアを用いることを含むことができる。ＥＰＤＣＣＨのために構成されたＰＲＢペア内で他の信号が送信され得る場合、ＥＰＤＣＣＨのために使用可能なＲＥは減少され得る。
【０１０６】
ＷＴＲＵは、サブフレームまたはＴＴＩ内でＥＰＤＣＣＨ候補のセットを監視するおよび／または復号を試みることができ、ＥＰＤＣＣＨ候補は、ＥＣＣＥアグリゲーションレベル、開始ＥＣＣＥ番号、および／または動作モード（例えば局在型、分散型）に基づいて決定され得る。「ＥＰＤＣＣＨ候補」および「ＥＰＤＣＣＨ復号候補」という用語は、本明細書では同義的に用いられ得る。
【０１０７】
ＷＴＲＵ固有探索空間のためのＥＰＤＣＣＨ候補のセットは、ＷＴＲＵ固有のやり方で決定され得る。共通探索空間のためのＥＰＤＣＣＨ候補のセットは、セル固有のやり方で決定され得る。
【０１０８】
ＥＰＤＣＣＨ探索空間内のＥＤＣＣＨ候補に関連付けられ得るＥＣＣＥアグリゲーションレベルのセットは、ＥＰＤＣＣＨリソースセットのために構成されたＰＲＢペアの数、サブフレーム内で使用可能なＲＥ（ｎEPDCCH）、ＥＰＤＣＣＨ探索空間タイプ（例えば共通探索空間、ＷＴＲＵ固有探索空間）、サブフレームタイプ（例えば通常サブフレーム、特別サブフレーム）、サイクリックプレフィックス（ＣＰ）長さ（例えば通常ＣＰ、拡張ＣＰ）、および／またはＥＰＤＣＣＨ動作モード（例えば局在型、分散型）の少なくとも１つの関数として決定され得る。
【０１０９】
表５および６は、ＥＣＣＥアグリゲーションレベル（Ｌ）のセット、およびＥＰＤＣＣＨリソースセットのために構成されたＰＲＢペアの数（
【０１１０】
【数１】
2019530276.tif 000007
）に従った、ＥＰＤＣＣＨ探索空間内の各ＥＣＣＥアグリゲーションレベルに対する関連付けられたＥＰＤＣＣＨ候補の数の例を示す。
【０１１１】
【表５】
2019530276.tif 000008
【０１１２】
【表６】
2019530276.tif 000009
【０１１３】
ＣＳＩ−ＲＳ送信は、ＣＳＩの測定のためにおよび／またはＣＳＩレポーティングのために用いられ得る。ＣＳＩ−ＲＳ送信は、例えばより高位のレイヤ構成に従って周期的なやり方で（いくつかの例ではそのようにしてのみ）送信され得る。ＷＴＲＵがＣＳＩレポーティングのためにトリガされ得るとき、ＷＴＲＵは（いくつかの例において、すでに）、ＣＳＩレポーティングのためのＣＳＩ構成情報を有し得る。周期的ＣＳＩ−ＲＳ送信は例えば、ＷＴＲＵ固有ＣＳＩ−ＲＳ送信を用いるのと比べてより多くの基準信号オーバーヘッドを必要とする場合があり、および／またはより低い柔軟性をもたらし得る。
【０１１４】
非周期的ＣＳＩ−ＲＳ送信は、基準信号オーバーヘッドを低減するために用いられ得る。非周期的ＣＲＳ−ＲＳ送信は、非周期的ＣＳＩレポーティングのために用いられ得る。非周期的ＣＳＩ−ＲＳの存在は、非周期的ＣＳＩ−ＲＳレポーティングのために動的に示され得る。非周期的ＣＳＩ−ＲＳを含み得るサブフレーム内のダウンリンクチャネルの性能は、例えば低下され得る。非周期的ＣＳＩ−ＲＳは、例えばＷＴＲＵが非周期的ＣＳＩ−ＲＳの存在を認識し得ないとき、他のダウンリンクチャネルと干渉し得る。例えばＷＴＲＵは、非周期的ＣＳＩ−ＲＳ存在の動的表示の受信に失敗し得る。このようなＷＴＲＵは、同じサブフレーム内の他のダウンリンクチャネルの受信にも失敗し得る。
【０１１５】
ＷＴＲＵは、ＥＰＤＣＣＨを監視するように構成され得る。このようなＷＴＲＵは、例えば非周期的ＣＳＩ−ＲＳ存在の動的表示がＥＰＤＣＣＨ探索空間内でシグナリングされ得る場合には、構成されたＥＰＤＣＣＨ探索空間を復号する試みをＷＴＲＵが開始し得る前に、非周期的ＣＳＩ−ＲＳ存在の表示を受信できない場合がある。ＥＰＤＣＣＨの性能は、それによって低下され得る。
【０１１６】
非周期的（例えばトリガされる）ＣＳＩ−ＲＳ送信および／またはレポーティングは、ＷＴＲＵ固有のやり方でのＣＳＩ−ＲＳ送信の柔軟性を改善し得る。ＣＳＩ−ＲＳ送信、および／または関連付けられたＣＳＩレポーティングは、トリガリング、例えばｅノードＢトリガリングに基づくことができる。
【０１１７】
ｅノードＢは、サブフレーム（例えばサブフレームｎ）において非周期的ＣＳＩレポーティングをトリガすることができる。このようなサブフレームの関連付けられた測定基準信号（例えばＣＳＩ−ＲＳ）は、同じサブフレーム（例えばサブフレームｎ）内で、および／または１つまたは複数の隣接するサブフレーム（例えばサブフレームｎ−２、ｎ−１、ｎ＋１、ｎ＋２など）内で送信され得る。
【０１１８】
非周期的ＣＳＩレポーティングのトリガリングは、サブフレームまたはサブフレームのサブセット内でシグナリングされ、監視され、および／または復号され得る（例えばＷＴＲＵによって）表示に基づくことができる。非周期的ＣＳＩレポーティングトリガリングの表示は、暗黙の表示または明示的表示とすることができる。
【０１１９】
「非周期的ＣＳＩレポーティング」、「Ａ−ＣＳＩレポーティング」、「Ａ−ＣＳＩ」、「トリガされるＣＳＩレポーティング」、「トリガリングベースのＣＳＩレポーティング」、「ＰＵＳＣＨベースのＣＳＩレポーティング」、「ＰＵＳＣＨ上のＣＳＩレポーティング」、「動的表示に基づくＣＳＩレポーティング」、「表示ベースのＣＳＩレポーティング」、および「ワンショットＣＳＩレポーティング」という用語は、本明細書では同義的に用いられ得る。「サブフレーム」、「送信時間間隔（ＴＴＩ）」、および「送信のための時間単位」という用語も、本明細書では同義的に用いられ得る。「非周期的測定基準信号」、「トリガされる測定基準信号」、「ＣＳＩ−ＲＳ」、「非周期的ＣＳＩ−ＲＳ」、「非周期的ＣＳＩ−ＩＭ」、「Ａ−ＣＳＩ−ＩＭ」、「Ａ−ＣＳＩ−ＲＳ」、「トリガリングベースのＣＳＩ−ＲＳ」、「ワンショットＣＳＩ−ＲＳ」、「動的表示ベースのＣＳＩ−ＲＳ」、「ダウンリンク制御インジケータ（ＤＣＩ）内で示されるＣＳＩ−ＲＳリソース」、および「Ａ−ＣＳＩのみに関連付けられたＣＳＩ−ＲＳ」という用語も、本明細書では同義的に用いられ得る。「Ａ−ＣＳＩ−ＲＳ」、「サブフレーム内のＡ−ＣＳＩ−ＲＳのＲＥ位置」、「Ａ−ＣＳＩ−ＲＳ構成」、「Ａ−ＣＳＩ−ＲＳの時間および周波数位置」、「Ａ−ＣＳＩ−ＲＳパターン」、「Ａ−ＣＳＩ−ＲＳ再使用パターン」、および「Ａ−ＣＳＩ−ＲＳ位置」という用語も、本明細書では同義的に用いられ得る。
【０１２０】
Ａ−ＣＳＩレポーティングのための関連付けられた測定基準信号は、非周期的に送信され、シグナリングされ、受信され、および／または測定され得る（例えばＷＴＲＵによって）。Ａ−ＣＳＩレポーティングのための非周期的測定基準信号は、本明細書では「非周期的ＣＳＩ−ＲＳ」と呼ばれ得る。
【０１２１】
周期的に送信されるＣＳＩ−ＲＳは、「Ｐ−ＣＳＩ−ＲＳ」と呼ばれることができ、より高位のレイヤによって構成されるＣＳＩ−ＲＳと同義的に用いられ得る。サブフレーム内のＰ−ＣＳＩ−ＲＳの存在は、このようなＷＴＲＵがサブフレームからの信号の受信を開始する前に、ＷＴＲＵに知られ得る。非周期的に送信されるＣＳＩ−ＲＳは、「Ａ−ＣＳＩ−ＲＳ」と呼ばれ得る。サブフレーム内のＡ−ＣＳＩ−ＲＳの存在は、動的表示に基づいて決定され得る。Ａ−ＣＳＩ−ＲＳの存在に対する動的表示は、１つまたは複数のサブフレームに関連付けられ得る。Ａ−ＣＳＩ−ＲＳの存在に対する動的表示は、Ａ−ＣＳＩ−ＲＳのアクティブ化および／または非アクティブ化のために用いられ得る。例えばこのような表示はＡ−ＣＳＩ−ＲＳをアクティブ化することができ、これは非アクティブ化されるまで周期的に送信され得る。
【０１２２】
完全ＣＳＩ構成（例えば完全ＣＳＩ構成情報）は、例えばＰ−ＣＳＩ−ＲＳに対して、より高位のレイヤ（例えばＲＲＣシグナリング）を通じて構成され得る。完全ＣＳＩ構成は、例えばＣＳＩ−ＲＳパターン、ＣＳＩプロセスの数、ＣＳＩ−ＲＳ送信のデューティサイクル、ＣＳＩ−ＲＳポートの数、ＣＳＩ−ＲＳの時間／周波数位置、およびＣＳＩ−ＲＳの送信電力の１つまたは複数を含むことができる。
【０１２３】
部分的ＣＳＩ構成（例えば部分的ＣＳＩ構成情報）は、例えばＡ−ＣＳＩ−ＲＳに対して、より高位のレイヤ（例えばＲＲＣシグナリング）を通じて構成され得る。部分的ＣＳＩ−ＲＳ構成は、完全ＣＳＩ構成のサブセットを含むことができる。部分的ＣＳＩ−ＲＳ構成は、例えば１つまたは複数のＣＳＩ−ＲＳパターン、および／またはその１つまたは複数の表示を含み得る。完全ＣＳＩ構成のサブセットまたは部分的ＣＳＩ構成は、例えばＤＣＩ（例えばＡ−ＣＳＩレポーティングをトリガし得るＤＣＩ）から、動的に示され得る。例においてＤＣＩは、ＣＳＩ構成（例えば完全または部分的）の１つまたは複数の部分が、所与のＣＳＩ−ＲＳ送信に適用可能であり得ることを示すことができる。例えばサブフレーム内で用いられ得る少なくとも１つのＣＳＩ−ＲＳパターン、および／または構成されたＣＳＩ−ＲＳパターンの存在は、動的に示され得る（例えばＤＣＩから）。
【０１２４】
ＷＴＲＵに対して、１つまたは複数のＡ−ＣＳＩ−ＲＳがサブフレーム内で示され得る。Ａ−ＣＳＩ−ＲＳは、例えば２つ以上のタイプの中から、タイプに類別され得る。第１のタイプのＡ−ＣＳＩ−ＲＳは、１つまたは複数の他の物理チャネルのＣＳＩ測定および／またはＲＥミューティングのために用いられ得る。このような第１のタイプのＡ−ＣＳＩ−ＲＳは、ＷＴＲＵに対する非ゼロ出力Ａ−ＣＳＩ−ＲＳとすることができる。第１のＷＴＲＵに対するこのような第１のタイプのＡ−ＣＳＩ−ＲＳは、第２のＷＴＲＵに対する第２のタイプのＡ−ＣＳＩ−ＲＳと見なされ、決定され、および／または用いられ得る。
【０１２５】
第２のタイプのＡ−ＣＳＩ−ＲＳは、１つまたは複数の他のダウンリンク物理チャネルのＲＥミューティングのために、いくつかの例においては１つまたは複数のダウンリンク物理チャネルのＲＥミューティングのためのみに用いられ得る。このようなＲＥミューティングは、パンクチャリングおよび／またはレートマッチングとすることができる。第２のタイプのＡ−ＣＳＩ−ＲＳは、ＷＴＲＵに対するゼロ出力Ａ−ＣＳＩ−ＲＳとすることができる。ＲＥミューティングはＷＴＲＵが、Ａ−ＣＳＩ−ＲＳリソース上でいずれの信号エネルギーの送信も控えることおよび／または控えることを試みることに対応し得る。第１のＷＴＲＵに対する第２のタイプのＡ−ＣＳＩ−ＲＳは、第２のＷＴＲＵに対する第１のタイプのＡ−ＣＳＩ−ＲＳと見なされ、決定され、および／または用いられ得る。
【０１２６】
第１のタイプのＡ−ＣＳＩ−ＲＳは、本明細書では「Ｔｙｐｅ−１  Ａ−ＣＳＩ−ＲＳ」と呼ばれ得る。第２の例示のタイプのＡ−ＣＳＩ−ＲＳは、本明細書では「Ｔｙｐｅ−２  Ａ−ＣＳＩ−ＲＳ」と呼ばれ得る。
【０１２７】
ＷＴＲＵは、１つまたは複数のＴｙｐｅ−１  Ａ−ＣＳＩ−ＲＳの表示を受信することができる。このようなＷＴＲＵは、示された１つまたは複数のＴｙｐｅ−１  Ａ−ＣＳＩ−ＲＳからのＣＳＩを測定し、１つまたは複数のＴｙｐｅ−１  Ａ−ＣＳＩ−ＲＳによって占有された各ＲＥは、ＷＴＲＵのためにスケジュールされ得る１つまたは複数のダウンリンクチャネル（例えばＰＤＳＣＨ、ＥＰＤＣＣＨ）の受信のためにミュートされたＲＥであり得ると見なす、決定する、および／または想定することができる。
【０１２８】
ＷＴＲＵは、１つまたは複数のＴｙｐｅ−２  Ａ−ＣＳＩ−ＲＳの表示を受信し得る。このようなＷＴＲＵは、１つまたは複数のＴｙｐｅ−２  Ａ−ＣＳＩ−ＲＳによって占有された各ＲＥは、ＷＴＲＵのためにケジュールされ得るダウンリンクチャネルの受信のためにミュートされたＲＥであり得ると見なす、決定する、および／または想定することができる。例えばＷＴＲＵはサブフレームにおいてＰＤＳＣＨに対してスケジュールされることができ、このようなＷＴＲＵは、１つまたは複数のＴｙｐｅ−２  Ａ−ＣＳＩ−ＲＳが同じサブフレーム内にあり得る旨の表示を受信することができる。このようなＷＴＲＵは、示されたＴｙｐｅ−２  Ａ−ＣＳＩ−ＲＳによって占有された各ＲＥを、スケジュールされたＰＤＳＣＨ受信のためにミュートされたＲＥと見なすことができる。
【０１２９】
ＷＴＲＵは、１つまたは複数のＡ−ＣＳＩ−ＲＳおよび／または１つまたはＣＳＩレポーティングのための複数のＰ−ＣＳＩ−ＲＳ、および／または１つまたは複数のダウンリンク物理チャネルのＲＥミューティングを用いて構成され得る。Ａ−ＣＳＩ−ＲＳのためのＣＳＩ−ＲＳ構成は、Ｐ−ＣＳＩ−ＲＳのためのＣＳＩ−ＲＳ構成を形成することができる。ＣＳＩ−ＲＳ構成は、アンテナポートの数、スクランブリングシーケンス、デューティサイクル、開始オフセット、送信電力、および再使用パターンの少なくとも１つを含み得るが、それらに限定されない。
【０１３０】
ＷＴＲＵは、同じサブフレーム内で１つまたは複数のＡ−ＣＳＩ−ＲＳおよび／または１つまたは複数のＰ−ＣＳＩ−ＲＳを受信する、測定する、および／または対処するように示され、構成され、および／または決定され得る。例えばＷＴＲＵは、ＣＳＩレポーティングのためにＰ−ＣＳＩ−ＲＳを用いて構成されることができ、および構成されたＰ−ＣＳＩ−ＲＳがその中で送信され得るサブフレーム内のＡ−ＣＳＩ−ＲＳを受信および／または測定するように示され得る。
【０１３１】
ＷＴＲＵは、Ｐ−ＣＳＩ−ＲＳに基づいてＡ−ＣＳＩを測定することができる。このようなＷＴＲＵには、Ａ−ＣＳＩ−ＲＳがその中では示されることができないサブフレーム内で、Ａ−ＣＳＩをレポートするように示され得る。このようなＡ−ＣＳＩ測定のためのＰ−ＣＳＩ−ＲＳは、同じサブフレーム内または前のサブフレーム内に位置し得る。ＷＴＲＵにはサブフレーム内でＡ−ＣＳＩをレポートするように示され、ＷＴＲＵはＡ−ＣＳＩ−ＲＳがそのサブフレーム内で送信され得ることを想定することができる。
【０１３２】
ＷＴＲＵには、Ａ−ＣＳＩレポーティング要求およびＡ−ＣＳＩ−ＲＳ表示のそれぞれに対して独立に示されることができ、このようなＡ−ＣＳＩ−ＲＳ表示は、Ａ−ＣＳＩ−ＲＳの存在または不存在、Ａ−ＣＳＩ−ＲＳの構成情報、およびＡ−ＣＳＩ−ＲＳ構成インデックスの少なくとも１つの表示を含むことができる。
【０１３３】
Ａ−ＣＳＩレポーティング要求および／またはＡ−ＣＳＩ−ＲＳ存在表示を示すために、ビットフィールドが用いられ得る。例えばビットフィールドからの１つまたは複数の状態は、Ａ−ＣＳＩレポーティングをトリガするため、および／または１つまたは複数のＡ−ＣＳＩ−ＲＳの存在を示すために示され得る。Ａ−ＣＳＩレポーティングトリガおよびＡ−ＣＳＩ−ＲＳ存在表示のために２つのビットが用いられ得る（例えば００はＡ−ＣＳＩ−ＲＳ不存在の状態でのＡ−ＣＳＩレポーティングトリガを示すことができ、０１はＡ−ＣＳＩ−ＲＳ存在の状態でのＡ−ＣＳＩレポーティングトリガを示すことができ、１０は、Ａ−ＣＳＩトリガなしおよびＡ−ＣＳＩ−ＲＳ存在を示すことができ、１１は予約され得る）。Ａ−ＣＳＩトリガなしでのＡ−ＣＳＩ−ＲＳ存在の表示は、１つまたは複数の他の物理チャネルに対してＲＥミューティングが行われ得ることを示すために用いられ得る。
【０１３４】
Ｔｙｐｅ−１  Ａ−ＣＳＩ−ＲＳ表示のためのビットフィールドは、アップリンク送信に関連付けられたＤＣＩ内で位置するおよび／または用いられることができる（例えばＤＣＩフォーマット０／４）。Ｔｙｐｅ−２  Ａ−ＣＳＩ−ＲＳ表示のためのビットフィールドは、ダウンリンク送信に関連付けられたＤＣＩ内で位置するおよび／または用いられることができる（例えばＤＣＩフォーマット１／２／２Ａ／２Ｂ／２Ｃ）。
【０１３５】
Ｔｙｐｅ−１  Ａ−ＣＳＩ−ＲＳ表示のためのビットフィールドは、アップリンクグラントに関連付けられたＤＣＩ内に位置することができる。Ｔｙｐｅ−１およびＴｙｐｅ−２  Ａ−ＣＳＩ−ＲＳ表示の両方のためのビットフィールドは、Ａ−ＣＳＩ−ＲＳ表示に専用化され得るＤＣＩ内で位置するおよび／または用いられることができる。Ｔｙｐｅ−１およびＴｙｐｅ−２  Ａ−ＣＳＩ−ＲＳ表示の両方のためのビットフィールドは、サブフレーム内のＡ−ＣＳＩ−ＲＳ構成のスーパーセットの表示として用いられ得る。Ｔｙｐｅ−１  Ａ−ＣＳＩ−ＲＳを示すことができる、アップリンクグラントに関連付けられたＤＣＩ内のビットフィールドは、Ａ−ＣＳＩ−ＲＳ構成のサブセットとして用いられ得る。
【０１３６】
サブフレーム内で１つまたは複数のＷＴＲＵのために用いられ得る（例えば共通に）、１つまたは複数のＡ−ＣＳＩ−ＲＳ構成のためのビットフィールドは、共通ＤＣＩ内で位置するおよび／または用いられることができ、このような共通ＤＣＩは１つまたは複数のＷＴＲＵによって監視され得る。ＷＴＲＵは、同じサブフレーム内のＷＴＲＵ固有ＤＣＩ（例えばＤＣＩフォーマット０／４）において、１つまたは複数のＴｙｐｅ−１  Ａ−ＣＳＩ−ＲＳ表示を受信することができる。示されるＴｙｐｅ−１  Ａ−ＣＳＩ−ＲＳ構成は、共通ＤＣＩから示され得る１つまたは複数のＡ−ＣＳＩ−ＲＳ構成のサブセットとすることができる。
【０１３７】
１つまたは複数のＴｙｐｅ−１  Ａ−ＣＳＩ−ＲＳ構成を受信し得るＷＴＲＵは、Ｔｙｐｅ−２  Ａ−ＣＳＩ−ＲＳ構成など、Ｔｙｐｅ−１  Ａ−ＣＳＩ−ＲＳ構成内にない場合がある、共通ＤＣＩ内の他のＡ−ＣＳＩ−ＲＳ構成を考慮することができる。１つまたは複数のＴｙｐｅ−１  Ａ−ＣＳＩ−ＲＳ構成を受信することができないＷＴＲＵは、共通ＤＣＩ内の１つまたは複数のＡ−ＣＳＩ−ＲＳ構成（例えばすべてのＡ−ＣＳＩ−ＲＳ構成）は、Ｔｙｐｅ−２  Ａ−ＣＳＩ−ＲＳ構成であると見なすことができる。
【０１３８】
ＷＴＲＵは、ＷＴＲＵがサブフレーム内でＡ−ＣＳＩをレポートするように命令され（例えば示され）得るとき、Ａ−ＣＳＩ−ＲＳとＰ−ＣＳＩ−ＲＳとの間のＡ−ＣＳＩレポーティングのために用いられ得るＣＳＩ−ＲＳの表示を受信することができる。このようなＡ−ＣＳＩ−ＲＳは、このような受信されたＣＳＩ−ＲＳの表示を含み得る同じサブフレーム内に位置することができる。このようなＰ−ＣＳＩ−ＲＳは、同じサブフレームおよび／または１つまたは複数の隣接するサブフレーム内に位置することができる。
【０１３９】
１つまたは複数のＡ−ＣＳＩ−ＲＳ構成は、共通探索空間内で監視され得る共通ＤＣＩ内に示されることができる。１つまたは複数のＰ−ＣＳＩ−ＲＳ構成は、ＲＲＣシグナリングなど、より高位のレイヤのシグナリングを通じて構成され得る。
【０１４０】
Ａ−ＣＳＩレポーティングを要求するために用いられ得るＤＣＩは、Ａ−ＣＳＩ−ＲＳとＰ−ＣＳＩ−ＲＳとの間のＡ−ＣＳＩレポーティングの測定のために用いられ得る１つまたは複数のＣＳＩ−ＲＳ構成を示すことができる、ビットフィールドを含み得る。
【０１４１】
そのそれぞれがＤＣＩに対する１つまたは複数の巡回冗長検査（ＣＲＣ）を用いてスクランブルされ得る、１つまたは複数の無線ネットワーク一時識別子（ＲＮＴＩ）は、Ａ−ＣＳＩレポーティング要求のために用いられ得る。このようなＡ−ＣＳＩレポーティング要求は、Ａ−ＣＳＩ−ＲＳとＰ−ＣＳＩ−ＲＳとの間のＡ−ＣＳＩレポーティングの測定のために用いられ得るＣＳＩ−ＲＳ構成を示すために用いられることができる。ＷＴＲＵは、セルＲＮＴＩ（Ｃ−ＲＮＴＩ）が用いられ得る場合には、Ａ−ＣＳＩレポーティングのためにＰ−ＣＳＩ−ＲＳを用いることができる。このようなＷＴＲＵはまた、または代わりに、Ｃ−ＲＮＴＩ＋１が用いられ得る場合には、Ａ−ＣＳＩレポーティングのためにＡ−ＣＳＩ−ＲＳを用いることができる。
【０１４２】
ＷＴＲＵは、１つまたは複数のＡ−ＣＳＩ−ＲＳおよび／または１つまたは複数のＰ−ＣＳＩ−ＲＳを含み得るサブフレーム内で、ＤＬ信号を受信することができる。このようなＡ−ＣＳＩ−ＲＳおよび／またはＰ−ＣＳＩ−ＲＳの１つまたは複数は、ダウンリンク信号のＲＥミューティングのために用いられ得る。ＷＴＲＵは、１つまたは複数のＡ−ＣＳＩ−ＲＳおよび／または１つまたは複数のＰ−ＣＳＩ−ＲＳを含み得るサブフレーム内で、ＰＤＳＣＨを受信することができる。このようなＷＴＲＵは、Ａ−ＣＳＩ−ＲＳおよび／またはＰ−ＣＳＩ−ＲＳによって占有されたＲＥがミュートされることを想定する、見なす、および／または決定することができる。
【０１４３】
ＷＴＲＵは、ＰＤＳＣＨリソース内でＣＳＩ−ＲＳ（例えばＡ−ＣＳＩ−ＲＳ、Ｐ−ＣＳＩ−ＲＳ）によって占有され、それらによって用いられ、および／またはそれらに割り当てられ得るＲＥは、関連付けられたＰＤＳＣＨ送信のミュートされたＲＥであると想定および／または決定することができる。このようなＷＴＲＵは、例えばこのようなＷＴＲＵによって決定され得る１つまたは複数の基準に基づいて、関連付けられたＰＤＳＣＨ送信のミュートされたＲＥが、パンクチャリングされたＲＥおよび／またはレートマッチングされたＲＥであり得ると決定することができる。
【０１４４】
このような基準は、Ａ−ＣＳＩ−ＲＳのタイプを含むことができる。例えばパンクチャリングはＴｙｐｅ−１  Ａ−ＣＳＩ−ＲＳに対して用いられることができ、レートマッチングはＴｙｐｅ−２  Ａ−ＣＳＩ−ＲＳに対して用いられることができ、またはその逆とすることができる。
【０１４５】
このような基準はまた、または代わりにＲＳの周期的または非周期的特性を含むことができる。例えばレートマッチングは、Ｐ−ＣＳＩ−ＲＳに対して用いられることができ、パンクチャリングはＡ−ＣＳＩ−ＲＳに対して用いられることができ、またはその逆とすることができる。
【０１４６】
このような基準はまた、または代わりにスケジュールされたＰＤＳＣＨのために用いられ得る変調順序を含むことができる。例えばパンクチャリングはより下位の変調順序（例えばＱＰＳＫ）に対して用いられることができ、一方レートマッチングはより高位の変調順序（例えば１６ＱＡＭ、６４ＱＡＭ）に対して用いられることができ、またはその逆とすることができる。
【０１４７】
このような基準はまた、または代わりに、スケジュールされたＰＤＳＣＨのために用いられ得る符号化レートまたは実効符号化レートを含むことができる。例えばパンクチャリングは、閾値未満となり得る符号化レートまたは実効符号化レートに対して用いられることができ、一方レートマッチングは、閾値以上となり得る符号化レートまたは実効符号化レートに対して用いられることができ、またはその逆とすることができる。さらなる例において、パンクチャリングは閾値より小さくなり得るトランスポートブロックサイズ（ＴＢＳ）に対して用いられることができ、一方レートマッチングは閾値以上となり得るＴＢＳに対して用いられることができ、またはその逆とすることができる。このような閾値は予め規定および／または構成され得る。
【０１４８】
このような基準はまた、または代わりに符号語の数および／またはランクを含むことができる。例えばパンクチャリングは、符号語の数が１（例えばランク＝１）の場合に用いられることができ、レートマッチングは、符号語の数が１より大きい（例えばランク＞１）の場合に用いられることができ、またはその逆とすることができる。
【０１４９】
このような基準はまた、または代わりに、ＤＣＩに含まれ得る表示を含むことができる。例えばビットフィールドは、ＲＥがＣＳＩ−ＲＳに起因してミュートされ得る場合には、スケジュールされたＰＤＳＣＨのミュートされたＲＥが、復調のためにその周りにレートマッチングされ得るおよび／またはパンクチャリングされ得るかどうかを示すことができる。
【０１５０】
ＲＥミューティングは、ＣＳＩ−ＲＳと衝突していた場合があり得る１つまたは複数のスケジュールされたＰＤＳＣＨ  ＲＥに対して用いられ得る。ＲＥミューティングの使用は、ＷＴＲＵによって決定され得る１つまたは複数の基準に基づいて決定され得る。このような基準はＡ−ＣＳＩ−ＲＳのタイプを含むことができる。例えばＷＴＲＵは、ＲＥミューティングはＴｙｐｅ−１  Ａ−ＣＳＩ−ＲＳに対して用いられ得ること、ＲＥミューティングはＴｙｐｅ−２  Ａ−ＣＳＩ−ＲＳに対して用いられることができないこと、またはその逆であることを想定することができる。
【０１５１】
このような基準はまた、または代わりにＲＳの周期的または非周期的特性を含むことができる。例えばＷＴＲＵは、ＲＥミューティングはＰ−ＣＳＩ−ＲＳに対して用いられ得ること、ＲＥミューティングはＡ−ＣＳＩ−ＲＳに対して用いられることができないこと、またはその逆であることを決定することができる。
【０１５２】
このような基準はまた、または代わりに、スケジュールされたＰＤＳＣＨのために用いられ得る変調順序を含むことができる。
【０１５３】
このような基準はまた、または代わりに、スケジュールされたＰＤＳＣＨのために用いられ得る符号化レートまたは実効符号化レートを含むことができる。
【０１５４】
このような基準はまた、または代わりに符号語の数および／またはランクを含むことができる。
【０１５５】
このような基準はまた、または代わりにＤＣＩ内にもたらされ得る表示を含むことができる。
【０１５６】
ＷＴＲＵは、ＰＤＳＣＨスケジューリング、ＰＵＳＣＨスケジューリング、および／または共通制御情報のうちの少なくとも１つに関連付けられ得る１つまたは複数のＤＣＩに対して、ＥＰＤＣＣＨを監視するように構成され得る。「強化型ＰＤＣＣＨ」、「ＥＰＤＣＣＨ」、「ＭＴＣ  ＰＤＣＣＨ」、「ＭＰＤＣＣＨ」、「狭帯域ＰＤＣＣＨ」、および「ＮＢ−ＰＤＣＣＨ」という用語は、本明細書では同義的に用いられ得る。「ＥＰＤＣＣＨ」は、ＰＤＣＣＨ領域において監視され、復号され、受信され、および／または送信されるダウンリンク制御チャネルとして参照され得る。
【０１５７】
ＷＴＲＵがＥＰＤＣＣＨを監視するように構成される場合には、ＥＰＤＣＣＨリソースにおいてＣＳＩ−ＲＳ（例えばＡ−ＣＳＩ−ＲＳ、Ｐ−ＣＳＩ−ＲＳ）によって占有され得る１つまたは複数のＲＥはミュートされ得る。ＣＳＩ−ＲＳと衝突し得るＥＰＤＣＣＨ  ＲＥはミュートされ得る。
【０１５８】
ＥＰＤＣＣＨ探索空間内のＥＰＤＣＣＨ候補に対するＥＣＣＥアグリゲーションレベルのセットは、サブフレーム内の使用可能なＲＥ（ｎEPDCCH）、および／またはＥＰＤＣＣＨリソースセットに対して構成されたＰＲＢペアに基づいて決定され得る。このような使用可能なＲＥは、サブフレーム内のＣＳＩ−ＲＳによって用いられ得るＲＥを除外し得る。使用可能なＲＥの数が、閾値（例えば予め決定された閾値、予め構成された閾値）より大きい、またはそれ以上であり得る場合には、ＥＣＣＥアグリゲーションレベルの第１のセットがＥＰＤＣＣＨ探索空間のために、用いられおよび／または決定され得る。使用可能なＲＥの数が閾値（例えば予め決定された閾値、予め構成された閾値）未満である、またはそれ以下であり得る場合には、ＥＣＣＥアグリゲーションレベルの第２のセットがＥＰＤＣＣＨ探索空間のために、用いられおよび／または決定され得る。
【０１５９】
ＣＳＩ−ＲＳのために用いられ得るＲＥは、ＣＳＩ−ＲＳ特性の１つまたは複数に基づいて使用可能なＲＥであると決定され得る。Ｐ−ＣＳＩ−ＲＳのために用いられ、および／またはそれによって占有され得る１つまたは複数のＲＥは、使用可能でない（例えばミュートされる）と決定され得る。Ａ−ＣＳＩ−ＲＳのために用いられ得る１つまたは複数のＲＥは、使用可能なＲＥであると決定され得る。
【０１６０】
Ａ−ＣＳＩ−ＲＳのために用いられ得る１つまたは複数のＲＥは、使用可能なＲＥであると決定され得る。ＷＴＲＵは、１つまたは複数のＥＰＤＣＣＨ候補の復号において、このようなＲＥをミュートされたＲＥと見なし得る。
【０１６１】
Ｐ−ＣＳＩ−ＲＳのために用いられ得る１つまたは複数のＲＥは、使用可能でないＲＥであると決定され得る。ＷＴＲＵは、１つまたは複数のＥＰＤＣＣＨ候補の復号において、このようなＲＥをミュートされたＲＥと見なし得る。
【０１６２】
１つまたは複数のＥＣＣＥアグリゲーションレベルのセットは、Ｐ−ＣＳＩ−ＲＳの存在の関数として決定され得る。このようなＥＰＤＣＣＨアグリゲーションレベルのセットは、Ａ−ＣＳＩ−ＲＳの存在とは無関係に決定され得る。
【０１６３】
ＥＣＣＥ当たりのＥＲＥＧの数は、サブフレーム内のＡ−ＣＳＩ−ＲＳの存在に基づいて決定され得る。例えばＡ−ＣＳＩ−ＲＳがサブフレーム内に提示され得ないとき、ＥＣＣＥ当たりＮ1（例えば４）個のＥＲＥＧが用いられ得る。例えばサブフレーム内にＡ−ＣＳＩ−ＲＳが提示され得るとき、ＥＣＣＥ当たりＮ2（例えば８）個のＥＲＥＧが用いられ得る。
【０１６４】
ＥＣＣＥ当たりのＥＲＥＧの数は、サブフレーム内のＡ−ＣＳＩ−ＲＳの存在、および／またはＰＲＢ内のＡ−ＣＳＩ−ＲＳのために用いられ得るＲＥの数に基づいて決定され得る。ＰＲＢ内のＡ−ＣＳＩ−ＲＳのために用いられ得るＲＥの数が、閾値（例えば予め決定された閾値、予め構成された閾値）（例えばＮTHRESHOLD＝１６）未満である、またはそれ以下であり得る場合には、ＥＣＣＥ当たりＮ1個のＥＲＥＧが用いられ得る。ＰＲＢ内のＡ−ＣＳＩ−ＲＳのために用いられ得るＲＥの数が、閾値（例えば予め決定された閾値、予め構成された閾値）より大きい、またはそれ以上であり得る場合には、ＥＣＣＥ当たりＮ2個のＥＲＥＧが用いられ得る。
【０１６５】
Ａ−ＣＳＩ−ＲＳのために用いられ得るＲＥの数は、１つまたは複数のＴｙｐｅ−１  Ａ−ＣＳＩ−ＲＳまたはＴｙｐｅ−２  Ａ−ＣＳＩ−ＲＳのために用いられ得る（例えば１つまたは複数のＴｙｐｅ−１  Ａ−ＣＳＩ−ＲＳまたはＴｙｐｅ−２  Ａ−ＣＳＩ−ＲＳのためにのみ用いられ得る）ＲＥの総数を含むことができる。閾値（例えば予め決定された閾値、予め構成された閾値）は、ＥＰＤＣＣＨリソースセットのために構成され得るＰＲＢペアの数に基づくことができる。Ｎ1値は、サブフレームタイプ、ＣＰ長さ、および／または複信モード（例えばＴＤＤまたはＦＤＤ）のうちの少なくとも１つに基づいて、Ｎ2値とは異なり得る。
【０１６６】
ＥＰＤＣＣＨ  ＲＥミューティングは、ＣＳＩ−ＲＳによって占有され得るＲＥに対して用いられ得る。このようなミュートされたＲＥに対するパンクチャリングおよび／またはレートマッチングは、Ａ−ＣＳＩ−ＲＳのタイプに基づいて決定され得る。例えばＥＰＤＣＣＨ  ＲＥパンクチャリングはＴｙｐｅ−１  Ａ−ＣＳＩ−ＲＳに対して用いられることができ、一方ＥＰＤＣＣＨ  ＲＥレートマッチングはＴｙｐｅ−２  Ａ−ＣＳＩ−ＲＳに対して用いられることができ、またはその逆とすることができる。
【０１６７】
このようなミュートされたＲＥに対するパンクチャリングおよび／またはレートマッチングはまた、または代わりに、ＲＳの周期的または非周期的特性に基づいて決定され得る。例えばＥＰＤＣＣＨ  ＲＥレートマッチングはＰ−ＣＳＩ−ＲＳに対して用いられることができ、一方ＥＰＤＣＣＨ  ＲＥパンクチャリングはＡ−ＣＳＩ−ＲＳに対して用いられることができ、またはその逆とすることができる。
【０１６８】
このようなミュートされたＲＥに対するパンクチャリングおよび／またはレートマッチングはまた、または代わりにＥＰＤＣＣＨ探索空間タイプに基づいて決定され得る。例えばＥＰＤＣＣＨ  ＲＥパンクチャリングはＥＰＤＣＣＨ共通探索空間内のＡ−ＣＳＩ−ＲＳに対して用いられることができ、一方ＥＰＤＣＣＨ  ＲＥレートマッチングはＥＰＤＣＣＨ  ＷＴＲＵ固有探索空間内のＡ−ＣＳＩ−ＲＳに対して用いられることができ、またはその逆とすることができる。
【０１６９】
このようなミュートされたＲＥに対するパンクチャリングおよび／またはレートマッチングはまた、または代わりに、ＥＰＤＣＣＨ候補のＥＣＣＥアグリゲーションレベルに基づいて決定され得る。
【０１７０】
ＣＳＩ−ＲＳによって占有され得るＥＰＤＣＣＨ  ＲＥに対するＥＰＤＣＣＨ  ＲＥミューティングの使用は、Ａ−ＣＳＩ−ＲＳのタイプに基づいて決定され得る。ＣＳＩ−ＲＳによって占有され得るＥＰＤＣＣＨ  ＲＥに対するＥＰＤＣＣＨ  ＲＥミューティングはＴｙｐｅ−１  Ａ−ＣＳＩ−ＲＳに対して用いられることができ、一方ＥＰＤＣＣＨ  ＲＥミューティングはＴｙｐｅ−２  Ａ−ＣＳＩ−ＲＳに対して用いられことができず、またはその逆とすることができる。あるいは、または追加として、ＣＳＩ−ＲＳによって占有され得るＥＰＤＣＣＨ  ＲＥに対するＥＰＤＣＣＨ  ＲＥミューティングは、ＲＳの周期的または非周期的特性に基づいて用いられ得る。例えばＥＰＤＣＣＨ  ＲＥミューティングはＰ−ＣＳＩ−ＲＳに対して用いられることができ、一方ＥＰＤＣＣＨ  ＲＥミューティングはＡ−ＣＳＩ−ＲＳに対して用いられることができず、またはその逆とすることができる。あるいは、または追加としてＣＳＩ−ＲＳによって占有され得るＥＰＤＣＣＨ  ＲＥに対するＥＰＤＣＣＨ  ＲＥミューティングは、ＥＰＤＣＣＨ探索空間タイプに基づいて用いられ得る。例えばＥＰＤＣＣＨ  ＲＥミューティングはＥＰＤＣＣＨ共通探索空間内にあり得るＣＳＩ−ＲＳに対して用いられることができ、一方ＥＰＤＣＣＨ  ＲＥミューティングはＥＰＤＣＣＨ  ＷＴＲＵ固有探索空間内にあり得るＣＳＩ−ＲＳに対して用いられることができず、またはその逆とすることができる。あるいは、または追加としてＣＳＩ−ＲＳによって占有され得るＥＰＤＣＣＨ  ＲＥに対するＥＰＤＣＣＨ  ＲＥミューティングは、ＥＰＤＣＣＨ候補のＥＣＣＥアグリゲーションレベルに基づいて用いられ得る。
【０１７１】
Ａ−ＣＳＩ−ＲＳのために用いられ得るＥＰＤＣＣＨ  ＲＥは、使用可能でないＲＥ（例えばミュートされたＲＥ）と見なされ得る。ＥＰＤＣＣＨ  ＲＥミューティングのためのＡ−ＣＳＩ−ＲＳおよび／またはＡ−ＣＳＩ−ＲＳパターンは、ＰＤＣＣＨ共通探索空間内で送信および／または監視され得るＤＣＩ内で示され得る。ＷＴＲＵは、同じサブフレーム内のＰＤＣＣＨ共通探索空間内で受信および／または監視され得るＤＣＩ内で示され得る、Ａ−ＣＳＩ−ＲＳの存在または不存在および／またはパターンに基づいて、サブフレーム内のＥＰＤＣＣＨ  ＷＴＲＵ固有探索空間に対するＥＰＤＣＣＨアグリゲーションレベルセットを決定することができる。
【０１７２】
ＤＣＩは、１つまたは複数のＡ−ＣＳＩ−ＲＳがその中に提示され得るサブフレーム内（例えばサブフレーム内のみ）で送信および／または受信され得る。あるいは、または追加としてＤＣＩは、Ａ−ＣＳＩ−ＲＳの存在に関わらず、すべてのサブフレーム内で送信および／または受信され得る。Ａ−ＣＳＩ−ＲＳの不存在または存在、および／または１つまたは複数のＡ−ＣＳＩ−ＲＳパターンを示すために、ビットフィールドが用いられ得る。このようなビットフィールドが、サブフレーム内のＡ−ＣＳＩ−ＲＳの不存在を示し得る場合には、ＷＴＲＵはサブフレーム内にＡ−ＣＳＩ−ＲＳがないと決定し得る。あるいは、または追加として、ＥＰＤＣＣＨアグリゲーションレベルセット決定は使用可能なＲＥに基づくことができ、使用可能なＲＥはＡ−ＣＳＩ−ＲＳの不存在または存在に基づいて決定され得る。ＷＴＲＵが、サブフレーム内のＡ−ＣＳＩ−ＲＳの不存在または存在を示し得るＤＣＩの受信に失敗した場合には、ＷＴＲＵはサブフレーム内のＥＰＤＣＣＨを監視することができない。
【０１７３】
ＥＰＤＣＣＨとＡ−ＣＳＩ−ＲＳとの間の衝突は、１つまたは複数のＡ−ＣＳＩ−ＲＳ存在および／または送信を用いて回避され得る。このようなＡ−ＣＳＩ−ＲＳ存在および／または送信は、時間および／または周波数リソースのサブセットに制限され得る。サブフレームおよび／または無線フレームは、Ａ−ＣＳＩ−ＲＳの存在を示し得るＤＣＩを有することができる。ＷＴＲＵは、このようなサブフレームおよび／または無線フレームのＤＣＩを監視することができる。このようなサブフレームおよび／または無線フレームは、システム内のサブフレームおよび／または無線フレームのサブセットに制限され得る。このようなサブフレームおよび／または無線フレームのサブセットは、より高位のレイヤのシグナリングを通じて構成され得る。
【０１７４】
あるいは、または追加として、ＷＴＲＵによって監視され得るＤＣＩを有し得るサブフレームおよび／または無線フレームは、Ａ−ＣＳＩ−ＲＳの存在を示し得る。このようなＷＴＲＵによって監視され得る、このようなサブフレームおよび／または無線フレームは、サブフレーム番号、無線フレーム番号（例えばシステムフレーム番号（ＳＦＮ））、物理セルＩＤ、および／またはＷＴＲＵ−ＩＤの１つまたは複数の関数として決定され得る。
【０１７５】
あるいは、または追加としてＷＴＲＵは、例えば１つまたは複数のＡ−ＣＳＩ−ＲＳがサブフレーム内で提示され得るか、され得ないかに関わらず、Ａ−ＣＳＩ−ＲＳはＥＰＤＣＣＨのために構成されるおよび／または用いられる１つまたは複数のＰＲＢ内に送信されるおよび／または位置することができないと決定し得る。
【０１７６】
ＷＴＲＵ固有探索空間は、サブフレーム内のＡ−ＣＳＩ−ＲＳの存在に基づいて、ＰＤＣＣＨとＥＰＤＣＣＨとの間で切り換えられ得る。例えばＷＴＲＵは、ＷＴＲＵ固有探索空間に対してＥＰＤＣＣＨを用いて構成されることができ、ＷＴＲＵがサブフレーム内でＡ−ＣＳＩ−ＲＳの存在の表示を受信し得る場合には、ＷＴＲＵはサブフレーム内でＷＴＲＵ固有探索空間に対するＰＤＣＣＨを監視することができる。ＰＤＣＣＨ  ＷＴＲＵ固有探索空間は、フォールバックＷＴＲＵ固有探索空間として用いられ得る。このようなフォールバックＷＴＲＵ固有探索空間は、１つまたは複数のＡ−ＣＳＩ−ＲＳがＥＰＤＣＣＨ  ＷＴＲＵ固有探索空間と衝突し得る場合に用いられ得る。あるいは、または追加として、サブフレーム内のＡ−ＣＳＩ−ＲＳの存在はＤＣＩによって示され得る。このようなＤＣＩは、ＰＤＣＣＨ共通探索空間内で送信および／または監視され得る。あるいは、または追加として、サブフレーム内のＡ−ＣＳＩ−ＲＳの存在は、前のサブフレーム内で示され得る。あるいは、または追加としてＷＴＲＵは、このような１つまたは複数のＥＰＤＣＣＨ候補が、サブフレーム内に存在し得る１つまたは複数のＡ−ＣＳＩ−ＲＳと衝突し得る場合には、サブフレーム内の１つまたは複数のＥＰＤＣＣＨ候補を監視することができない。
【０１７７】
ＣＳＩ−ＲＳ構成のためのアンテナポートのセットは、ＰＲＢのサブセット送信において示され得る。例えばＰＲＢ内のＣＳＩ−ＲＳ構成のためのアンテナポートのセット（例えば現在のアンテナポートのセット）は、ＰＲＢインデックスに基づいて決定され得る。あるいは、または追加として、第１のＣＳＩ−ＲＳ構成のためのアンテナポートのセット（例えば現在のアンテナポートのセット）は、偶数のＰＲＢインデックスに関連付けられた可能性があるまたは関連付けられ得る１つまたは複数のＰＲＢ内で提示されることができ、一方第２のＣＳＩ−ＲＳ構成のためのアンテナポートのセット（例えば現在のアンテナポートのセット）は、奇数のＰＲＢインデックスに関連付けられた可能性があるまたは関連付けられ得る１つまたは複数のＰＲＢ内で提示されることができ、またはその逆とすることができる。
【０１７８】
ＷＴＲＵは、関連付けられたＣＳＩ−ＲＳを含み得る１つまたは複数のＰＲＢのサブセットの表示を受信することができる。例えばＰＲＢの第１のセット（例えば偶数のＰＲＢインデックスを有し得る）は第１のＷＴＲＵに対して示されることができ、一方ＰＲＢの第２のセット（例えば奇数のＰＲＢインデックスを有し得る）は第２の異なるＷＴＲＵに対して示され得る。このような表示は、１つまたは複数のＣＳＩ−ＲＳ構成パラメータの一部としてシグナリングされ得る。あるいは、または追加としてこのような表示は、Ａ−ＣＳＩ−ＲＳトリガリングのための関連付けられたＤＣＩ内でシグナリングされ得る。
【０１７９】
ＣＳＩ−ＲＳ  ＰＲＢレベルナリングが用いられることができ、ＣＳＩ−ＲＳ構成のためのアンテナポートのセットは、１つまたは複数のＰＲＢのサブセット内で送信され得る。このようなナリングの使用は、アンテナポートの数に基づいて決定され得る。例えばＣＳＩ−ＲＳのためのアンテナポートの数が閾値（例えば予め決定された閾値、予め構成された閾値）（例えば１６）より大きい、またはそれ以上であり得る場合には、ＣＳＩ−ＲＳ  ＰＲＢレベルナリングが用いられ得る。ＣＳＩ−ＲＳ構成のためのアンテナポートのセットは、アンテナポートの数と同義的に用いられ得る。
【０１８０】
ＣＳＩ−ＲＳ  ＰＲＢレベルナリングが用いられ得るＰＲＢインデックスは、サブフレームおよび／または無線フレーム番号に基づいて決定され得る。あるいは、または追加として、ＣＳＩ−ＲＳ  ＰＲＢレベルナリングが用いられ得、およびＣＳＩ−ＲＳ  ＰＲＢレベルナリングに基づいて決定され得るＰＲＢインデックスは、ＷＴＲＵ−ＩＤ（例えばＣ−ＲＮＴＩ）に基づいて決定され得る。あるいは、または追加としてＣＳＩ−ＲＳ  ＰＲＢレベルナリングが用いられ得るＰＲＢインデックスは、Ｐ−ＣＳＩ−ＲＳおよび／またはＡ−ＣＳＩ−ＲＳに基づいて決定され得る。
【０１８１】
ＣＳＩ−ＲＳ送信に関連付けられた１つまたは複数のＰＲＢのセットは、ＣＳＩ−ＲＳのために構成されたアンテナポートの数、１つまたは複数のＣＳＩ−ＲＳのタイプ（例えばＰ−ＣＳＩ−ＲＳ、Ａ−ＣＳＩ−ＲＳ）、１つまたは複数のシステムパラメータ（例えばサブフレーム番号、無線フレーム番号、物理セルＩＤ）、および／または１つまたは複数のＷＴＲＵ固有パラメータ（例えばＷＴＲＵ−ＩＤ）の１つまたは複数に基づいて決定され得る。このような決定されたＰＲＢのセットは、サブフレーム内のすべてのＰＲＢ、またはサブフレーム内のＰＲＢのサブセットを含み得る。
【０１８２】
１つまたは複数のダウンリンク制御信号が、Ａ−ＣＳＩ−ＲＳに対して用いられ得る。例えば２つの制御信号表示（例えばＤＣＩ）が、Ａ−ＣＳＩ−ＲＳに対して用いられ得る。第１のＤＣＩは、１つまたは複数のアクティブＡ−ＣＳＩ−ＲＳパターン（例えばアクティブＡ−ＣＳＩ−ＲＳセット）を示すために用いられ得る。第２のＤＣＩは、ＣＳＩ測定のために用いられ得るアクティブＡ−ＣＳＩ−ＲＳパターンを示すために用いられ得る。アクティブＡ−ＣＳＩ−ＲＳセットは、アクティブであり得るおよび／または関連付けられた時間ウィンドウおよび／または位置（例えばサブフレーム）内に提示され得る、１つまたは複数のＡ−ＣＳＩ−ＲＳ構成を含むことができる。アクティブＡ−ＣＳＩ−ＲＳセットは、共通Ａ−ＣＳＩ−ＲＳセットと同義的に用いられ得る。
【０１８３】
アクティブＡ−ＣＳＩ−ＲＳセットは、より高位のレイヤのシグナリングによって構成され得るＡ−ＣＳＩ−ＲＳパターンのサブセットとすることができる。あるいは、または追加としてＷＴＲＵは、アクティブＡ−ＣＳＩ−ＲＳセット内の１つまたは複数のＡ−ＣＳＩ−ＲＳパターンは関連付けられた時間位置（例えばサブフレーム）内に提示され得ると決定することができる。あるいは、または追加としてＷＴＲＵは、１つまたは複数のアクティブＡ−ＣＳＩ−ＲＳパターンを運び得る第１のＤＣＩを監視する、受信する、および／または復号を試みることができる。これは、このようなＷＴＲＵがＡ−ＣＳＩ−ＲＳをベースとするＡ−ＣＳＩレポーティングのために構成され得るかどうかに関わらず行われ得る。あるいは、または追加としてＷＴＲＵは、このようなＷＴＲＵが、関連付けられた時間ウィンドウおよび／または位置（例えばサブフレーム内のＰＤＳＣＨ領域）においてダウンリンク送信（例えばＰＤＳＣＨ、ＥＰＤＣＣＨ）を受信する、復号を試みる、および／またはそのためにスケジュールされることができる場合には、アクティブＡ−ＣＳＩ−ＲＳセット情報を用いることができる。あるいは、または追加として、サブフレーム内でアクティブＡ−ＣＳＩ−ＲＳセットによって用いられるおよび／または占有されるＲＥ上のダウンリンク送信（例えばＰＤＳＣＨ、ＥＰＤＣＣＨ）に対して、ＲＥミューティングが用いられ得る。あるいは、または追加として、１つまたは複数のアクティブＡ−ＣＳＩ−ＲＳパターンのための関連付けられた時間ウィンドウは、アクティブＡ−ＣＳＩ−ＲＳパターンのアクティブ化および／または非アクティブ化に基づいて決定され得る。例えばアクティブＡ−ＣＳＩ−ＲＳパターンは、サブフレームｎにおいてアクティブ化されることができ、別のサブフレームｎ＋ｋにおいて非アクティブ化され得る。
【０１８４】
アクティブＡ−ＣＳＩ−ＲＳセット内の１つまたは複数のＡ−ＣＳＩ−ＲＳパターンは、ＤＣＩ（例えばＣＳＩ測定のために用いるためのアクティブＡ−ＣＳＩ−ＲＳパターンを示すために用いられ得る、本明細書で述べられるような第２のＤＣＩ）内で示されることができ、専用Ａ−ＣＳＩ−ＲＳセットと呼ばれ得る。「専用Ａ−ＣＳＩ−ＲＳセット」および「測定Ａ−ＣＳＩ−ＲＳセット」という用語は、本明細書では同義的に用いられ得る。
【０１８５】
専用Ａ−ＣＳＩ−ＲＳセットは、ＣＳＩ測定のために用いられ得る１つまたは複数のＷＴＲＵ固有Ａ−ＣＳＩ−ＲＳパターンとすることができる。あるいは、または追加として専用Ａ−ＣＳＩ−ＲＳセットは、ＣＳＩレポーティングのために用いられ得る。あるいは、または追加として、専用Ａ−ＣＳＩ−ＲＳセットの部分的構成情報（例えば送信電力、クアジコロケーション、アンテナポートの数）はより高位のレイヤのシグナリングによって構成されることができ、いくつかのまたはすべての残りの構成情報（例えばＣＳＩ−ＲＳ再使用パターン）は別のＤＣＩ（例えば第２のＤＣＩ）内で示され得る。
【０１８６】
アクティブＡ−ＣＳＩ−ＲＳセット情報のためのＤＣＩ（例えば第１のＤＣＩ）は、ＰＤＣＣＨ  ＣＳＳおよび／またはＥＰＤＣＣＨ  ＣＳＳなどの、共通探索空間（ＣＳＳ）内で送信および／または監視され得る。このようなＤＣＩは、ＰＤＣＣＨ  ＣＳＳおよび／またはＥＰＤＣＣＨ  ＣＳＳ内でＷＴＲＵによって監視されることができ、ＤＣＩのためのＰＤＣＣＨ  ＣＳＳおよび／またはＥＰＤＣＣＨ  ＣＳＳは、他のＤＣＩのためのＰＤＣＣＨ  ＣＳＳおよび／またはＥＰＤＣＣＨ  ＣＳＳとは異なり得る。このような他のＤＣＩは、マルチキャストおよび／またはブロードキャスト信号を運び得る。例えば、本明細書で（Ｅ）ＣＣＥと呼ばれ得るＣＣＥおよび／またはＥＣＣＥなどの、制御チャネル要素＃０〜＃１５は、マルチキャストおよび／またはブロードキャスト信号を運び得るこのような他のＤＣＩ（例えばＰ−ＲＮＴＩ、ＳＩ−ＲＮＴＩを有するＤＣＩ）に対するＰＤＣＣＨ  ＣＳＳおよび／またはＥＰＤＣＣＨ  ＣＳＳのために用いられ得る。制御チャネル要素（Ｅ）ＣＣＥ＃１６〜＃３２は、このようなＤＣＩに対するＰＤＣＣＨ  ＣＳＳおよび／またはＥＰＤＣＣＨ  ＣＳＳのために用いられ得る。ＤＣＩは、アクティブＡ−ＣＳＩ−ＲＳセットを含むことができる。
【０１８７】
このようなＤＣＩ（例えば第１のＤＣＩ）は、共通ＲＮＴＩを用いてスクランブルされ得る。あるいは、または追加としてこのようなＤＣＩは、アクティブＡ−ＣＳＩ−ＲＳセットを示すことができるビットフィールドを含み得る。このようなビットフィールドは、１つまたは複数のＮA-CSI-RS個のＡ−ＣＳＩ−ＲＳ構成に関連付けられ得るビットマップとすることができる。例えば１つまたは複数のＮA-CSI-RS個のＡ−ＣＳＩ−ＲＳ構成がより高位のレイヤのシグナリングを通じて用いられおよび／または構成され得る場合には、ＮA-CSI-RS個のビットがビットフィールドのために用いられることができ、および／またはアクティブおよび／または非アクティブＡ−ＣＳＩ−ＲＳ構成を示すことができる。あるいは、または追加として、１つまたは複数のアクティブＡ−ＣＳＩ−ＲＳセットの１つまたは複数のグループが定義され、予め規定され、および／または構成され得る。このような１つまたは複数のグループは、このようなＤＣＩ（例えば第１のＤＣＩ）内で示され得る。
【０１８８】
異なるＤＣＩ（例えば上述の第１のＤＣＩと対照的に第２のＤＣＩ）が、ＷＴＲＵ固有探索空間内で送信および／または監視され得る専用Ａ−ＣＳＩ−ＲＳセット情報に関連付けられ得る。このような異なるＤＣＩ（例えば第２のＤＣＩ）は、アップリンクグラントにおいて用いられ得る専用Ａ−ＣＳＩ−ＲＳセットを示すためにビットフィールドが用いられ得る場合には、アップリンクグラント（例えばＤＣＩフォーマット０／４）のために用いられ得る。あるいは、または追加として専用Ａ−ＣＳＩ−ＲＳセット情報に関連付けられたビットフィールドがＤＣＩに含まれ得るかどうかを示すために、このようなＤＣＩ（例えば第２のＤＣＩ）内で、フラグビットが含められおよび／または用いられ得る。フラグビットがＴＲＵＥに設定され得る場合には、ＷＴＲＵはＡ−ＣＳＩレポーティングのための専用Ａ−ＣＳＩ−ＲＳセット情報によって示される、１つまたは複数のＡ−ＣＳＩ−ＲＳを用いることができる。フラグビットがＦＡＬＳＥに設定され得る場合には、ＷＴＲＵはＡ−ＣＳＩレポーティングのためにＰ−ＣＳＩ−ＲＳを用いることができ、このようなＰ−ＣＳＩ−ＲＳは同じサブフレーム内または隣接するサブフレーム内に位置することができる。
【０１８９】
専用Ａ−ＣＳＩ−ＲＳセット内で示されることができないアクティブＡ−ＣＳＩ−ＲＳセット内の１つまたは複数のＡ−ＣＳＩ−ＲＳパターンは、Ｔｙｐｅ−２  Ａ−ＣＳＩ−ＲＳであると見なされることができ、一方アクティブＡ−ＣＳＩ−ＲＳセット内で示され得るＡ−ＣＳＩ−ＲＳパターンは、Ｔｙｐｅ−１  Ａ−ＣＳＩ−ＲＳであると見なされ得る。
【０１９０】
アクティブＡ−ＣＳＩ−ＲＳセットは、より高位のレイヤのシグナリング（例えばＲＲＣ、ブロードキャスト）を通じて構成され得る。専用Ａ−ＣＳＩ−ＲＳセットはＤＣＩ内で示され得る。１つまたは複数のＡ−ＣＳＩ−ＲＳパターンは、より高位のレイヤのシグナリングを通じてアクティブＡ−ＣＳＩ−ＲＳセットとして構成されることができ、アクティブＡ−ＣＳＩ−ＲＳセット内の１つまたは複数のＡ−ＣＳＩ−ＲＳパターンは、専用Ａ−ＣＳＩ−ＲＳセットとしてＤＣＩ内で示され得る。
【０１９１】
アクティブＡ−ＣＳＩ−ＲＳセットはより高位のレイヤのシグナリングによって構成されることができ、ＷＴＲＵがＡ−ＣＳＩレポーティング要求表示、専用Ａ−ＣＳＩ−ＲＳセット表示、および／またはＤＣＩ内の表示の１つまたは複数を受信するサブフレーム内の、ダウンリンク送信（例えばＰＤＳＣＨ、ＥＰＤＣＣＨ、ＰＢＣＨ、ＰＭＣＨ）のＲＥミューティングのために用いられ得る。このようなＤＣＩ内の表示は、アクティブＡ−ＣＳＩ−ＲＳのために用いられ得るＲＥに対するダウンリンク送信のＲＥミューティングのために用いられ得る。このような表示は、ＰＤＳＣＨスケジューリングに関連付けられ得るＤＣＩ内で送信され得る。
【０１９２】
１つまたは複数のアクティブＡ−ＣＳＩ−ＲＳセットのために用いられ得る１つまたは複数のＲＥに対するダウンリンク送信のＲＥミューティングは、１つまたは複数の時点（例えば１つまたは複数の予め決定された時点、１つまたは複数の予め構成されたされた時点）において、および／または１つまたは複数の周波数位置（例えば１つまたは複数の予め決定され周波数位置、１つまたは複数の予め構成された周波数位置）において用いられ得る。このような時間および／または周波数位置は、より高位のレイヤのシグナリングによって構成され得るサブフレームのサブセットとすることができる。あるいは、または追加として、このような時間および／または周波数位置は、サブフレーム番号、物理セルＩＤ、無線フレーム番号（例えばＳＦＮ）、および／またはＷＴＲＵ−ＩＤ（例えばＣ−ＲＮＴＩ）の少なくとも１つの関数として決定され得る。
【０１９３】
ＤＣＩ（例えば本明細書の別の所で述べられたような、同じ第１のＤＣＩであってもそうでなくてもよい第１のＤＣＩ）は、アクティブＡ−ＣＳＩ−ＲＳセット情報を運ぶことができる。別のＤＣＩ（例えば本明細書の別の所で述べられたような、同じ第２のＤＣＩであってもそうでなくてもよい第２のＤＣＩ）は、専用Ａ−ＣＳＩ−ＲＳセット情報を運ぶことができる。ＷＴＲＵは、１つまたは複数のＴｙｐｅ−１  Ａ−ＣＳＩ−ＲＳ構成および／または１つまたは複数のＴｙｐｅ−２  Ａ−ＣＳＩ−ＲＳ構成を取得するために、アクティブＡ−ＣＳＩ−ＲＳセット情報を運ぶこのようなＤＣＩ（例えば第１のＤＣＩ）、および専用Ａ−ＣＳＩ−ＲＳセット情報を運ぶこのようなＤＣＩ（例えば第２のＤＣＩ）を受信する、復号を試みる、および／または監視することができる。例えば専用Ａ−ＣＳＩ−ＲＳセットは、Ｔｙｐｅ−１  Ａ−ＣＳＩ−ＲＳ構成と見なされることができ、一方アクティブＡ−ＣＳＩ−ＲＳセット内の（専用Ａ−ＣＳＩ−ＲＳセット内で示されることができない）１つまたは複数の残りの他のＡ−ＣＳＩ−ＲＳは、Ｔｙｐｅ−２  Ａ−ＣＳＩ−ＲＳと見なされ得る。
【０１９４】
１つまたは複数のフォールバックＡ−ＣＳＩ−ＲＳセット構成が、決定および／または用いられ得る。１つまたは複数のこのようなフォールバックＡ−ＣＳＩ−ＲＳセットは、ダウンリンク送信のＲＥミューティングのために用いられ得るＡ−ＣＳＩ−ＲＳ構成の１つまたは複数のセットとすることができる。１つまたは複数のこのようなフォールバックＡ−ＣＳＩ−ＲＳセットは、より高位のレイヤのシグナリングを通じて構成され得るＡ−ＣＳＩ−ＲＳパターンの１つまたは複数のセットと同じとすることができる。ＷＴＲＵは、このようなＷＴＲＵがＤＣＩ（例えば第１のＤＣＩ）（例えばアクティブＡ−ＣＳＩ−ＲＳセット情報を含み得る）の受信に失敗し得る場合には、ダウンリンク送信のＲＥミューティングのためのこのような１つまたは複数のフォールバックＡ−ＣＳＩ−ＲＳセットを用いることができる。例えばこのようなＷＴＲＵは、サブフレーム内で別のＤＣＩ（例えば第２のＤＣＩ）（例えば専用Ａ−ＣＳＩ−ＲＳセット情報を含み得る）を受信した可能性があり、ダウンリンク送信のＲＥミューティングのために１つまたは複数のフォールバックＡ−ＣＳＩ−ＲＳセットを用いることができる。
【０１９５】
ＷＴＲＵは、このようなＷＴＲＵがＤＣＩ（例えば第１のＤＣＩ）（例えばアクティブＡ−ＣＳＩ−ＲＳセット情報を含み得る）の受信に失敗した場合には、サブフレーム内のダウンリンク信号を受信しないことを決定し得る。例えばこのようなＷＴＲＵは、例えば専用Ａ−ＣＳＩ−ＲＳセットを含み得る別のＤＣＩ（例えば第２のＤＣＩ）を受信した可能性がある。このようなＷＴＲＵはまた、アクティブＡ−ＣＳＩ−ＲＳセット情報を含んでいた可能性があるＤＣＩ（例えば第１のＤＣＩ）を逸しながら、同じサブフレーム内でＰＤＳＣＨスケジューリングのためにさらに別のＤＣＩを受信することができる。このようなＷＴＲＵは、ＰＤＳＣＨを復号しないことを決定することができ、および／または専用Ａ−ＣＳＩ−ＲＳセット（例えば第２のＤＣＩ内で受信される）からＡ−ＣＳＩを測定し得る。このようなＷＴＲＵは、ハイブリッド自動再送要求（ＨＡＲＱ）動作のためにＰＤＳＣＨをバッファすることができない（例えばソフトバッファは不正であり得るので）。あるいは、または追加としてこのようなＷＴＲＵは、例えばＷＴＲＵがアクティブＡ−ＣＳＩ−ＲＳセット情報を含んでいた可能性があるＤＣＩ（例えば第１のＤＣＩ）を逸したことに基づいて復号され得ない、対応するＰＤＳＣＨに対する不連続送信（ＤＴＸ）を送信することができる。
【０１９６】
ＷＴＲＵはサブフレームｎ内で、Ａ−ＣＳＩをレポートするようにＷＴＲＵに命令するまたは他のやり方でそのようにさせ得る表示を受信することができる。Ａ−ＣＳＩ測定のためのＡ−ＣＳＩ−ＲＳは、サブフレームｍ内でレポートされ得る。このようなＷＴＲＵは要求されたＡ−ＣＳＩを、アップリンクチャネルを通じてサブフレームｎ＋ｋ内でレポートすることができる。
【０１９７】
Ａ−ＣＳＩレポーティング時間（例えばｎ＋ｋ）は、１つまたは複数の関連付けられたＣＳＩ−ＲＳ特性に基づいて決定され得る。Ａ−ＣＳＩレポーティングのためのＡ−ＣＳＩ−ＲＳの存在は、ＷＴＲＵがＡ−ＣＳＩ−ＲＳ存在の表示を受信し得るまで知られ得ない。これは結果として、Ａ−ＣＳＩ−ＲＳからチャネル測定を行うための処理時間の増加を生じ得る。Ａ−ＣＳＩレポーティングがＰ−ＣＳＩ−ＲＳに関連付けられ得る場合には、ｋ＝４が用いられ得る。Ａ−ＣＳＩレポーティングがＡ−ＣＳＩ−ＲＳに関連付けられ得る場合には、ｋ＞４が用いられ得る。
【０１９８】
Ａ−ＣＳＩレポーティングタイミング（例えばｎ＋ｋ）は、１つまたは複数の関連付けられたＣＳＩ−ＲＳ特性に基づいて決定され得る。このようなレポーティングタイミング（例えばｎ＋ｋ）は、トリガされたＡ−ＣＳＩに対する１つまたは複数の関連付けられたＣＳＩ−ＲＳタイプの関数として決定され得る。関連付けられたＣＳＩ−ＲＳタイプがＡ−ＣＳＩ−ＲＳであり得る場合には、レポーティングタイミングはＡ−ＣＳＩ−ＲＳの時間位置ｍに基づいて決定され得る。ｍがｎと同じであり得る場合には、レポーティングタイミングｎ＋ｋは、Ｐ−ＣＳＩ−ＲＳおよびＡ−ＣＳＩ−ＲＳの両方に対して同じとすることができる。Ａ−ＣＳＩ−ＲＳの時間位置がｍ＝ｎ＋ｔであり得る場合には、レポーティングタイミングはｎ＋ｔ＋ｋと決定され得る。
【０１９９】
Ａ−ＣＳＩレポーティングタイミングは、関連付けられたＡ−ＣＳＩ−ＲＳ構成に基づいて決定され得る。例えばこのようなレポーティングタイミングは、Ａ−ＣＳＩ−ＲＳ構成インデックスに基づいて決定され得る。図５に示される８Ｔｘに対する例示的Ａ−ＣＳＩ−ＲＳ構成（または再使用パターン）５００に示されるように、５個のＡ−ＣＳＩ−ＲＳ構成（例えば図５に示される構成５０１、５０２、５０３、５０４、５０５）が用いられ得る。Ａ−ＣＳＩ−ＲＳ構成の時間位置は、レポーティング時間を決定するために用いられ得る。例えば図５に示される例示的Ａ−ＣＳＩ−ＲＣ構成５０１などのＡ−ＣＳＩ−ＲＳ構成が、Ａ−ＣＳＩレポーティングのための関連付けられたＡ−ＣＳＩ−ＲＳとして示され得る場合には、レポーティングタイミングとしてｎ＋ｋが用いられ得る。あるいは、または追加として、例えば図５の例示的Ａ−ＣＳＩ−ＲＣ構成５０２、Ａ−ＣＳＩ−ＲＣ構成５０３、および／またはＡ−ＣＳＩ−ＲＣ構成５０１などの関連付けられたＡ−ＣＳＩ−ＲＳ構成が、Ａ−ＣＳＩレポーティングのための関連付けられたＡ−ＣＳＩ−ＲＳとして示され得る場合には、レポーティングタイミングとしてｎ＋ｋ＋１が用いられ得る。あるいは、または追加として、例えば図５の例示的Ａ−ＣＳＩ−ＲＣ構成５０５などの関連付けられたＡ−ＣＳＩ−ＲＳ構成が、Ａ−ＣＳＩレポーティングのための関連付けられたＡ−ＣＳＩ−ＲＳとして示され得る場合には、レポーティングタイミングとしてｎ＋ｋ＋２が用いられ得る。
【０２００】
Ａ−ＣＳＩのためのレポーティング時間（例えばｎ＋ｋ）は、関連付けられたＣＳＩ−ＲＳ特性に関わらず用いられ得る。ＣＳＩ測定探索空間は、Ａ−ＣＳＩレポーティングのためのこのような関連付けられたＣＳＩ−ＲＳ特性に基づいて制約され得る。ＣＳＩ測定探索空間は、レポートされ得る１つまたは複数のＣＳＩタイプ、１つまたは複数のＣＳＩタイプのそれぞれの範囲、１つまたは複数のＣＳＩタイプのそれぞれのパラメータ、および／または１つまたは複数のＣＳＩタイプのそれぞれの値を、含むおよび／または示すことができる。このような値および／またはインジケータの１つまたは複数のサブセットまたはすべては、互いに関連付けられ得る。レポートするための２つ以上の複数のＣＳＩタイプ、ＣＳＩタイプの複数の範囲、ＣＳＩタイプの複数のパラメータ、ＣＳＩタイプの複数の値は、ＣＳＩ測定探索空間内に含められおよび／または示され得る。
【０２０１】
ＣＳＩタイプは、広帯域ＣＱＩ、サブバンドＣＱＩ、ＲＩ、広帯域ＰＭＩ、サブバンドＰＭＩ、プリコーディングタイプインジケーション（ＰＴＩ）、ＣＳＩ−ＲＳリソース表示（ＣＲＩ）、および／またはサブバンドインデックスの１つまたは複数を含み得る。ＣＱＩ（例えば広帯域ＣＱＩ、サブバンドＣＱＩ）に関連し得るＣＳＩタイプの範囲は、信号対雑音比（ＳＮＲ）範囲（例えば０から１５までの範囲）として予め規定または予め決定されることができ、このようなＳＮＲ範囲は、変調および符号化方式（ＭＣＳ）レベルとしてまたはそれらにおいて定義され得る。ＰＭＩおよび／またはＲＩ（例えば広帯域ＣＱＩ、サブバンドＣＱＩ）に関連し得るＣＳＩタイプの範囲は、構成され得るアンテナポートの数、および／または構成され得る送信モードおよび／または送信方式に基づいて決定され得る。サブバンドレポーティングに関連し得るＣＳＩタイプのパラメータ（例えばサブバンドＣＱＩ、サブバンドＰＭＩ）は、このようなレポーティングのサブバンドサイズを含み得る。
【０２０２】
ＣＳＩ測定探索空間は、関連付けられたＣＳＩ−ＲＳがＡ−ＣＳＩ−ＲＳであり得る場合には、制約され得る。例えばＲＩは、候補のサブセットに制約され得る。Ａ−ＣＳＩがＰ−ＣＳＩ−ＲＳに基づいてトリガされ得る場合には、このようなＲＩは｛１，２，３，４｝の全候補内で探索されることができ、一方Ａ−ＣＳＩがＡ−ＣＳＩ−ＲＳに基づいてトリガされ得る場合には、ＲＩは｛１，２｝の制約された候補内で探索され得る。ＲＩの制約された候補は、最も最近のＲＩレポーティング値などの、ＲＩレポーティング値に基づいて決定され得る。ＲＩの制約された候補は、より高位のレイヤのシグナリングを通じて構成され得る。ＲＩの制約された候補は、Ａ−ＣＳＩレポーティングをトリガし得る関連付けられたＤＣＩ内で示され得る。例えばこのようなＲＩの制約された候補は、単一の候補（例えば｛２｝）とすることができる。最大ＲＩ値は、１つまたは複数のＣＳＩ−ＲＳタイプ（例えばＰ−ＣＳＩ−ＲＳ、Ａ−ＣＳＩ−ＲＳ）に基づいて決定され得る。
【０２０３】
ＣＳＩプロセスの数は制限され得る。例えばＮｃ個のＣＳＩプロセスは、より高位のレイヤのシグナリングを通じて構成され得る。ｅノードＢは、１つまたは複数のＰ−ＣＳＩ−ＲＳが用いられ得る場合には、このようなＮｃ個のＣＳＩプロセスのためのＡ−ＣＳＩレポーティングをトリガすることができる。１つまたは複数のＡ−ＣＳＩ−ＲＳが用いられ得るとき、Ｎｃ個のＣＳＩプロセスのサブセットがＡ−ＣＳＩレポーティングのために用いられ得る。Ａ−ＣＳＩがＡ−ＣＳＩ−ＲＳから測定され得る場合には、単一のＣＳＩプロセスがＡ−ＣＳＩレポーティングのために用いられ（例えばそれのみが用いられ）得る。Ａ−ＣＳＩレポーティングのためのＣＳＩプロセスインデックスは、Ａ−ＣＳＩレポーティングのために用いられ得る関連付けられたＤＣＩ内で示され得る。
【０２０４】
ＰＭＩは候補のサブセットに制限され得る。例えばＰ−ＣＳＩ−ＲＳを用いたＡ−ＣＳＩレポーティングのためのＰＭＩ候補は、より高位のレイヤのシグナリングを通じて構成され得るコードブックサブセット制約に基づいて決定され得る。Ａ−ＣＳＩ−ＲＳを用いたＡ−ＣＳＩレポーティングのためのＰＭＩ候補は、Ｐ−ＣＳＩ−ＲＳを用いたＡ−ＣＳＩレポーティングのために決定され得るＰＭＩ候補のサブセットに基づくことができる。例えばＡ−ＣＳＩ−ＲＳを用いたＡ−ＣＳＩレポーティングのために、２段階コードブックサブセット制約が用いられ得る。第１のコードブックサブセット制約はＰ−ＣＳＩ−ＲＳおよびＡ−ＣＳＩ−ＲＳの両方に対して用いられることができ、一方第２のコードブックサブセット制約はＡ−ＣＳＩ−ＲＳに対して用いられ得る。
【０２０５】
ＰＭＩが候補のサブセットに制限され得る場合には、第１のコードブックサブセット制約は、第２のコードブックサブセット制約のスーパーセットとすることができる。あるいは、または追加として第１のコードブックサブセット制約は、より高位のレイヤのシグナリングを通じて構成され得る。あるいは、または追加として第２のコードブックサブセット制約は、Ａ−ＣＳＩ−ＲＳを用いて構成され得るＷＴＲＵのために用いられ得る、より高位のレイヤのシグナリング（例えば第１のコードブックサブセット制約をシグナリングするために用いられるものとは別個のシグナリング）を通じて構成され得る。あるいは、または追加として第２のコードブックサブセット制約は、Ａ−ＣＳＩ−ＲＳを用いたＡ−ＣＳＩレポーティングをトリガし得る関連付けられたＤＣＩから、動的に示され得る。
【０２０６】
ＰＭＩは、Ａ−ＣＳＩ−ＲＳを用いたＡ−ＣＳＩレポーティングをトリガし得る関連付けられたＤＣＩ内で示され得る。例えば特定のＰＭＩが、Ａ−ＣＳＩレポーティングと共に使用するために示され得る。ＷＴＲＵは、示された特定のＰＭＩを用いて、他のＣＳＩレポーティングインデックス（例えばＣＱＩ、ＲＩ）を探索することができる。
【０２０７】
サブバンドＣＱＩおよび／またはサブバンドＰＭＩレポーティングのサブバンドサイズは、１つまたは複数ＣＳＩ−ＲＳタイプ（例えばＰ−ＣＳＩ−ＲＳ、Ａ−ＣＳＩ−ＲＳ）に基づいて決定され得る。例えばＣＳＩレポーティングがＰ−ＣＳＩ−ＲＳに基づき得る場合には、第１のサブバンドサイズがサブバンドＣＱＩおよび／またはサブバンドＰＭＩレポーティングのために用いられ得る。このような例において、ＣＳＩレポーティングがＡ−ＣＳＩ−ＲＳに基づき得る場合には、第２のサブバンドサイズがサブバンドＣＱＩおよび／またはサブバンドＰＭＩレポーティングのために用いられ得る。このような第１のサブバンドサイズは、第２のサブバンドサイズより狭くすることができ、またはその逆とすることができる。このような第２のサブバンドサイズは、このような第１のサブバンドサイズの倍数とすることができる。あるいは、または追加として、このような第２のサブバンドサイズは、Ａ−ＣＳＩ−ＲＳを用いたＡ−ＣＳＩレポーティングをトリガし得るＤＣＩ内で示され得る。
【０２０８】
Ａ−ＣＳＩレポーティングがＡ−ＣＳＩ−ＲＳに基づいてトリガされ得る場合には、ＣＳＩレポーティングのために用いられ得る１つまたは複数のサブバンドが制限され得る。例えばＣＳＩ測定のためにＰ−ＣＳＩ−ＲＳが用いられ得る場合には、Ａ−ＣＳＩレポーティングのためにＮｓ個のサブバンドが用いられることができ、一方ＣＳＩ測定のためにＡ−ＣＳＩ−ＲＳが用いられる場合には、Ａ−ＣＳＩレポーティングのためにＮａ個のサブバンドが用いられ得る。ＮａはＮｓより小さくすることができる。Ｎｓはシステム帯域幅に基づいて決定され得る。Ｎａはより高位のレイヤのシグナリングを通じて構成されることができ、および／または予め決定され得る。Ｎｓは、Ａ−ＣＳＩ−ＲＳを用いたＡ−ＣＳＩレポーティングをトリガし得るＤＣＩ内で示され得る。サブバンド（例えば特定のサブバンド）は、Ａ−ＣＳＩ−ＲＳを用いたＡ−ＣＳＩレポーティングをトリガし得るＤＣＩ内で示され得る。
【０２０９】
特徴および要素は上記では特定の組み合わせにおいて述べられたが、当業者は各特徴または要素は単独で、または他の特徴および要素との任意の組み合わせにおいて用いられることができることを理解するであろう。加えて本明細書で述べられた方法は、コンピュータまたはプロセッサによる実行のためにコンピュータ可読媒体に組み込まれたコンピュータプログラム、ソフトウェア、またはファームウェアにおいて実施され得る。コンピュータ可読媒体の例は、電子信号（有線または無線接続を通して送信される）、およびコンピュータ可読記憶媒体を含む。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含むが、それらに限定されない。ＷＴＲＵ、ＵＥ、端末装置、基地局、ＲＮＣ、または任意のホストコンピュータにおける使用のために、無線周波数トランシーバを実施するように、ソフトウェアと関連してプロセッサが用いられ得る。
【図１Ａ】
2019530276.tif 000010
【図１Ｂ】
2019530276.tif 000011
【図１Ｃ】
2019530276.tif 000012
【図１Ｄ】
2019530276.tif 000013
【図２】
2019530276.tif 000014
【図３】
2019530276.tif 000015
【図４】
2019530276.tif 000016
【図５】
2019530276.tif 000017
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
スケジュールされたリソースブロック（ＲＢ）において物理ダウンリンク共有チャネル（ＰＤＳＣＨ）変調シンボルを受信する、無線送受信ユニット（ＷＴＲＵ）によって実行される方法であって、
ＰＤＳＣＨ変調シンボルがマッピングされる複数のリソース要素（ＲＥ）を識別するステップであって、前記ＲＥを識別するステップは、
前記スケジュールされたＲＢ内のＲＥの第１のセットおよびＲＥの第２のセットを決定するステップと、
前記スケジュールされたＲＢ内のＲＥの前記第１のセットがＣＳＩ−ＲＳの第１のセットの送信に対して使用される場合、前記複数のＲＥからＲＥの前記第１のセットを除外するステップと、
ＲＥの前記第２のセットがＣＳＩ−ＲＳの第２のセットの送信に対して使用される場合、前記複数のＲＥにＲＥの前記第２のセットを含めるステップと
を含む、ステップと、
前記識別された複数のＲＥを介して前記ＰＤＳＣＨを受信するステップと
を備えたことを特徴とする方法。
【請求項２】
ＣＳＩ−ＲＳの前記第１のセットは１つまたは複数の周期的ＣＳＩ−ＲＳを含み、およびＣＳＩ−ＲＳの前記第２のセットは１つまたは複数の非周期的ＣＳＩ−ＲＳを含むことを特徴とする請求項１に記載の方法。
【請求項３】
ＣＳＩ−ＲＳの前記第１のセットは１つまたは複数のゼロ出力非周期的ＣＳＩ−ＲＳを含み、およびＣＳＩ−ＲＳの前記第２のセットは１つまたは複数の非ゼロ出力非周期的ＣＳＩ−ＲＳを含むことを特徴とする請求項１に記載の方法。
【請求項４】
ＣＳＩ−ＲＳの前記第２のセットは、１つもしくは複数の非周期的ＣＳＩ−ＲＳ、または１つもしくは複数の非ゼロ出力非周期的ＣＳＩ−ＲＳを含むことを特徴とする請求項１に記載の方法。
【請求項５】
前記方法は、ＣＳＩ−ＲＳの前記第２のセットに基づいてチャネル測定を実行するステップをさらに備えたことを特徴とする請求項１に記載の方法。
【請求項６】
ＣＳＩ−ＲＳの前記第１のセットは、ＺＰ−ＣＳＩ−ＲＳまたは周期的非ゼロ出力ＣＳＩ−ＲＳ（周期的ＮＺＰ−ＣＳＩ−ＲＳ）の少なくとも１つを含むことを特徴とする請求項１に記載の方法。
【請求項７】
ＰＤＳＣＨ送信に対応する変調シンボルは、ＲＥの前記第１のセットにマッピングされないことを特徴とする請求項１に記載の方法。
【請求項８】
ＣＳＩ−ＲＳの前記第１のセットは、前記１つまたは複数のＲＥの周りでのパンクチャリングまたはレートマッチングの少なくとも１つを使用して前記複数のＲＥから除外されることを特徴とする請求項１に記載の方法。
【請求項９】
ＲＥの前記第１のセットは、時間または周波数位置の少なくとも１つに基づいて前記複数のＲＥから除外されることを特徴とする請求項１に記載の方法。
【請求項１０】
スケジュールされたリソースブロック（ＲＢ）において物理ダウンリンク共有チャネル（ＰＤＳＣＨ）変調シンボルを受信する無線送受信ユニット（ＷＴＲＵ）であって、
メモリと、
プロセッサとを備え、前記プロセッサは、
ＰＤＳＣＨ変調シンボルがマッピングされる複数のリソース要素（ＲＥ）を識別し、前記ＲＥを識別することは、
前記スケジュールされたＲＢ内のＲＥの第１のセットおよびＲＥの第２のセットを決定することと、
前記スケジュールされたＲＢ内のＲＥの前記第１のセットがＣＳＩ−ＲＳの第１のセットの送信に対して使用される場合、前記複数のＲＥからＲＥの前記第１のセットを除外することと、
ＲＥの前記第２のセットがＣＳＩ−ＲＳの第２のセットの送信に対して使用される場合、前記複数のＲＥにＲＥの前記第２のセットを含めることと
を含み、
前記複数のＲＥを介してＰＤＳＣＨ送信を受信する
ように構成されたことを特徴とするＷＴＲＵ。
【請求項１１】
ＣＳＩ−ＲＳの前記第１のセットは１つまたは複数の周期的ＣＳＩ−ＲＳを含み、およびＣＳＩ−ＲＳの前記第２のセットは１つまたは複数の非周期的ＣＳＩ−ＲＳを含むことを特徴とする請求項１０に記載のＷＴＲＵ。
【請求項１２】
ＣＳＩ−ＲＳの前記第１のセットは１つまたは複数のゼロ出力非周期的ＣＳＩ−ＲＳを含み、およびＣＳＩ−ＲＳの前記第２のセットは１つまたは複数の非ゼロ出力非周期的ＣＳＩ−ＲＳを含むことを特徴とする請求項１０に記載のＷＴＲＵ。
【請求項１３】
ＣＳＩ−ＲＳの前記第２のセットは、１つもしくは複数の非周期的ＣＳＩ−ＲＳ、または１つもしくは複数の非ゼロ出力非周期的ＣＳＩ−ＲＳを含むことを特徴とする請求項１０に記載のＷＴＲＵ。
【請求項１４】
前記プロセッサは、ＣＳＩ−ＲＳの前記第２のセットに基づいてチャネル測定を実行するようにさらに構成されたことを特徴とする請求項１０に記載のＷＴＲＵ。
【請求項１５】
ＣＳＩ−ＲＳの前記第１のセットは、ＺＰ−ＣＳＩ−ＲＳまたは周期的非ゼロ出力ＣＳＩ−ＲＳ（周期的ＮＺＰ−ＣＳＩ−ＲＳ）の少なくとも１つを含むことを特徴とする請求項１０に記載のＷＴＲＵ。
【請求項１６】
前記ＰＤＳＣＨ送信に対応する変調シンボルは、ＲＥの前記第１のセットにマッピングされないことを特徴とする請求項１０に記載のＷＴＲＵ。
【請求項１７】
ＣＳＩ−ＲＳの前記第１のセットは、前記１つまたは複数のＲＥの周りでのパンクチャリングまたはレートマッチングの少なくとも１つを使用して前記複数のＲＥから除外されることを特徴とする請求項１０に記載のＷＴＲＵ。
【請求項１８】
ＲＥの前記第１のセットは、時間または周波数位置の少なくとも１つに基づいて前記複数のＲＥから除外されることを特徴とする請求項１０に記載のＷＴＲＵ。
【手続補正書】
【提出日】令和1年5月27日(2019.5.27)
【手続補正１】
【補正対象書類名】明細書
【補正対象項目名】０００７
【補正方法】変更
【補正の内容】
【０００７】
ＷＴＲＵ固有探索空間を監視すること、およびＷＴＲＵ固有探索空間に基づいてＤＣＩを決定することを行うためのシステムおよび方法が開示される。ＤＣＩに基づいてフラグビットを決定することが行われることができ、このようなフラグビットは、ＤＣＩがアクティブＡ−ＣＳＩ−ＲＳのセットのサブセットを含むかどうかを示すことができる。ＲＥミューティングは、時間または周波数位置のうちの少なくとも１つに基づいて行われ得る。
【手続補正２】
【補正対象書類名】明細書
【補正対象項目名】００５８
【補正方法】変更
【補正の内容】
【００５８】
ＡＭＦ１８２ａ、１８２ｂは、Ｎ２インターフェイスを通じてＲＡＮ１１３内のｇＮＢ１８０ａ、１８０ｂ、１８０ｃの１つまたは複数に接続されることができ、制御ノードとして働き得る。例えばＡＭＦ１８２ａ、１８２ｂは、ＷＴＲＵ１０２ａ、１０２ｂ、１０２ｃのユーザを認証すること、ネットワークスライシングのためのサポート（例えば異なる要件を有する異なるＰＤＵセッションの対処）、特定のＳＭＦ１８３ａ、１８３ｂを選択すること、レジストレーションエリアの管理、ＮＡＳシグナリングの終了、モビリティ管理などに対して責任をもつことができる。ネットワークスライシングは、ＷＴＲＵ１０２ａ、１０２ｂ、１０２ｃによって利用されるサービスのタイプに基づいて、ＷＴＲＵ１０２ａ、１０２ｂ、１０２ｃに対するＣＮサポートをカスタマイズするために、ＡＭＦ１８２ａ、１８２ｂによって用いられ得る。例えば異なるネットワークスライスは、超高信頼度低待ち時間（ＵＲＬＬＣ）アクセスに依存したサービス、強化型大規模モバイルブロードバンド（ｅＭＢＢ）アクセスに依存したサービス、マシンタイプ通信（ＭＴＣ）アクセスのためのサービス、および／またはその他などの、異なるユースケースに対して確立され得る。ＡＭＦ１８２は、ＲＡＮ１１３と、ＬＴＥ、ＬＴＥ−Ａ、ＬＴＥ−Ａ  Ｐｒｏ、および／またはＷｉＦｉなどの非３ＧＰＰアクセス技術などの他の無線技術を使用する他のＲＡＮ（図示せず）との間で切り換えるための、制御プレーン機能をもたらすことができる。
【手続補正３】
【補正対象書類名】明細書
【補正対象項目名】００７０
【補正方法】変更
【補正の内容】
【００７０】
例においてＷＴＲＵは、複数の可能なＣＳＩ−ＲＳ送信、例えばＣＳＩ−ＲＳダウンリンク送信を定義するＣＳＩ−ＲＳ構成を受信する。いくつかのサブフレームにおいて、可能なＣＳＩ−ＲＳ送信のそれぞれは、例えばＣＳＩ−ＲＳ構成に従ってＣＳＩ−ＲＳ送信を送信するｅＮＢによって行われ得る。ｅＮＢがそのサブフレーム内で、ＣＳＩ−ＲＳ構成に従ってＣＳＩ−ＲＳ送信を送信するようになることを、ＷＴＲＵに示すためにＤＣＩが用いられ得る。例において、ＷＴＲＵによって送られることになるＣＳＩ−ＲＳ送信のすべては、ＷＴＲＵに対して適用可能でない場合があり、またはそうでなければＷＴＲＵによって測定されない場合がある。例えば第１のＤＣＩは、サブフレームに対してアクティブである複数のＣＳＩ−ＲＳ示すために用いられ得る。第２のＤＣＩは、アクティブでありかつＷＴＲＵによって測定されるべきである、複数のＣＳＩ−ＲＳのサブセットを示すことができる。ＷＴＲＵは第１および第２のＤＣＩを用いて、複数のＣＳＩ−ＲＳのどれが測定されるべきであるか（例えば示されたサブセット）、および複数のＣＳＩ−ＲＳのどれがミュートされるべきであるか（例えばアクティブセットから、示されたサブセットを除いたもの）を決定することができる。ＷＴＲＵは、ＷＴＲＵによって測定されないアクティブＣＳＩ−ＲＳを含むＲＥのミューティングを、それらのリソース要素に対してレートマッチング、および／または本明細書で述べられる他の技法を行うことによって行うことができる。レートマッチングは、ミュートされることになるそのリソース要素を含むＰＤＳＣＨ送信を受信するために行われ得る。
【手続補正４】
【補正対象書類名】明細書
【補正対象項目名】０１２９
【補正方法】変更
【補正の内容】
【０１２９】
ＷＴＲＵは、１つまたは複数のＡ−ＣＳＩ−ＲＳおよび／または１つまたはＣＳＩレポーティングのための複数のＰ−ＣＳＩ−ＲＳ、および／または１つまたは複数のダウンリンク物理チャネルのＲＥミューティングを用いて構成され得る。Ａ−ＣＳＩ−ＲＳのためのＣＳＩ−ＲＳ構成は、Ｐ−ＣＳＩ−ＲＳのためのＣＳＩ−ＲＳ構成とは異なり得る。ＣＳＩ−ＲＳ構成は、アンテナポートの数、スクランブリングシーケンス、デューティサイクル、開始オフセット、送信電力、および再使用パターンの少なくとも１つを含み得るが、それらに限定されない。
【国際調査報告】
2019530276.tif 000018
2019530276.tif 000019
2019530276.tif 000020